(57)【要約】【課題】デルタナブラ配置の表示装置において画質低下を抑制する。【解決手段】パネル単位領域の各副画素の相対輝度値は、複数のフレーム画素の相対輝度値と重みとの演算により決定される。複数のフレーム画素は、それぞれ第１の方向に延びる複数のフレーム画素ラインと、それぞれ第２の方向の延びる複数のフレーム画素ラインとを構成する。各副画素に最も近いフレーム画素を含む第１の方向に延びる第１のフレーム画素ライン及び最も近いフレーム画素を含む第２の方向に延びる第２のフレーム画素ラインは、正の重みを有するフレーム画素で構成される。第１のフレーム画素ライン及び第２のフレーム画素ライン以外のフレーム画素ラインは、負の重みを有するフレーム画素を含む。【選択図】図５
2019194632.tif 000002
【特許請求の範囲】
【請求項１】
表示パネルと、
映像フレームの相対輝度データを前記表示パネルの相対輝度データに変換する制御部と、
を含む表示装置であって、
前記映像フレームは、マトリックス状に配置された複数のフレーム単位領域で構成される領域を含み、
前記複数のフレーム単位領域のそれぞれは、
第１の軸に沿った第１の方向において、第１のフレーム画素、第２のフレーム画素及び第３のフレーム画素の順で配列されている、前記第１のフレーム画素、前記第２のフレーム画素及び前記第３のフレーム画素と、
前記第１の軸に垂直な第２の軸に沿った第２の方向において、前記第１のフレーム画素、前記第２のフレーム画素及び前記第３のフレーム画素にそれぞれ隣接し、前記第１の方向に配列されている、第４のフレーム画素、第５のフレーム画素及び第６のフレーム画素と、
で構成され、
前記表示パネルの表示領域は、マトリックス状に配置された複数のパネル単位領域で構成される領域を含み、
前記複数のパネル単位領域のそれぞれは、
前記第２の方向において、第１の第１色副画素、第１の第２色副画素、及び第１の第３色副画素の順で配列された、前記第１の第１色副画素、前記第１の第２色副画素、及び前記第１の第３色副画素からなる第１の副画素ラインと、
前記第１の副画素ラインに前記の第１方向において隣接し、前記の第２方向に、第２の第３色副画素、第２の第１色副画素、及び第２の第２色副画素の順で配列された、前記第２の第３色副画素、前記第２の第１色副画素、及び前記第２の第２色副画素からなる第２の副画素ラインと、
前記第２の副画素ラインに前記第１の方向において隣接し、前記第２の方向に、第３の第１色副画素、第３の第２色副画素、及び第３の第３色副画素の順で配列された、前記第３の第１色副画素、前記第３の第２色副画素、及び前記第３の第３色副画素で構成された第３の副画素ラインと、
前記第３の副画素ラインに前記第１の方向において隣接し、第４の第３色副画素、第４の第１色副画素、及び第４の第２色副画素の順で配列された、前記第４の第３色副画素、前記第４の第１色副画素、及び前記第４の第２色副画素からなる第４の副画素ラインと、
を含み、
前記パネル単位領域の各副画素の相対輝度値は、複数のフレーム画素の相対輝度値と重みとの演算により決定され、
前記複数のフレーム画素は、各副画素に最も近いフレーム画素を含み、
前記複数のフレーム画素は、それぞれ前記第１の方向に延びる複数のフレーム画素ラインと、それぞれ前記第２の方向の延びる複数のフレーム画素ラインとを構成し、
前記最も近いフレーム画素を含む前記第１の方向に延びる第１のフレーム画素ライン及び前記最も近いフレーム画素を含む前記第２の方向に延びる第２のフレーム画素ラインは、正の重みを有するフレーム画素で構成され、
前記第１のフレーム画素ライン及び前記第２のフレーム画素ライン以外のフレーム画素ラインは、負の重みを有するフレーム画素を含み、
前記第１のフレーム画素ラインの重みの合計は、前記第１の方向の延びる他のいずれのフレーム画素ラインの重みの合計よりも大きく、
前記第２のフレーム画素ラインの重みの合計は、前記第２の方向の延びる他のいずれのフレーム画素ラインの重みの合計よりも大きい、
表示装置。
【請求項２】
請求項１に記載の表示装置であって、
前記第１のフレーム画素ライン以外の前記第１の方向の延びるフレーム画素ラインの重みの和は０である、
表示装置。
【請求項３】
請求項１に記載の表示装置であって、
前記第２のフレーム画素ライン以外の前記第２の方向の延びる少なくとも一つのフレーム画素ラインの重みの和が０である、
表示装置。
【請求項４】
請求項１に記載の表示装置であって、
前記第１〜第４の第１色副画素及び前記第１〜第４の第２色副画素の各副画素は第１の各副画素であり、
前記第１の各副画素の相対輝度値を決定する複数のフレーム画素は、
前記第１の各副画素に最も近いフレーム画素と、
前記第１の各副画素に最も近いフレーム画素の前記第１の軸に沿った両隣のフレーム画素と、
前記第２の軸に沿って前記第１の各副画素に２番目に近いフレーム画素と、
前記第１の各副画素に２番目に近いフレーム画素の前記第１の軸に沿った両隣のフレーム画素と、で構成され、
前記第１〜第４の第３色副画素は第２の各副画素であり、
前記第２の各副画素の相対輝度値を決定する複数のフレーム画素は、
前記第２の各副画素に最も近いフレーム画素と、
前記第２の各副画素に最も近いフレーム画素の前記第１の軸に沿った両隣のフレーム画素と、
前記第２の各副画素に最も近いフレーム画素に前記第２の方向の反対方向において隣接するフレーム画素と、
前記反対方向において隣接するフレーム画素の前記第１の軸に沿った両隣のフレーム画素と、
前記第２の各副画素に最も近いフレーム画素に前記第２の方向において隣接するフレーム画素と、
前記第２の方向において隣接するフレーム画素の前記第１の軸に沿った両隣のフレーム画素と、で構成されている、
表示装置。
【請求項５】
請求項１に記載の表示装置であって、
前記第１の第１色副画素、第４の第１色副画素、前記第１の第２色副画素及び前記第４の第２色副画素の各副画素は、第３の各副画素であり、
前記第３の各副画素の相対輝度値を決定する複数のフレーム画素は、
前記第３の各副画素に最も近いフレーム画素と、
前記第３の各副画素に最も近いフレーム画素の前記第１の軸に沿った両隣のフレーム画素と、
前記第２の軸に沿って前記第３の各副画素に２番目に近いフレーム画素と、
前記第３の各副画素に２番目に近いフレーム画素の前記第１の軸に沿った両隣のフレーム画素と、で構成され、
前記第２の第１色副画素、第３の第１色副画素、前記第２の第２色副画素及び前記第３の第２色副画素の各副画素は第４の各副画素であり、
前記第４の各副画素の相対輝度値を決定する複数のフレーム画素は、
前記第４の各副画素に最も近いフレーム画素と、
前記第１の軸に沿って前記第４の各副画素に２番目に近いフレーム画素と、
前記第２の軸に沿って前記第４の各副画素に２番目に近いフレーム画素と、
前記第１の軸に沿って前記第４の各副画素に２番目に近い前記フレーム画素及び前記第２の軸に沿って前記第４の各副画素に２番目に近い前記フレーム画素の双方に隣接するフレーム画素と、で構成され、
前記第１の第３色副画素及び前記第４の第３色副画素の各副画素は第５の各副画素であり、
前記第５の各副画素の相対輝度値を決定する複数のフレーム画素は、
前記第５の各副画素に最も近いフレーム画素と、
前記第５の各副画素に前記第１の軸に沿って２番目に近いフレーム画素と、
前記第５の各副画素に最も近いフレーム画素の前記第２の軸に沿った両隣のフレーム画素と、
前記第５の各副画素に前記第１の軸に沿って２番目に近いフレーム画素の前記第２の軸に沿った両隣のフレーム画素と、で構成され、
前記第２の第３色副画素及び前記第３の第３色副画素の各副画素は第６の各副画素であり、
前記第６の各副画素の相対輝度値を決定する複数のフレーム画素は、
前記第６の各副画素に最も近いフレーム画素と、
前記第６の各副画素に最も近いフレーム画素の前記第１の軸に沿った両隣のフレーム画素と、
前記第６の各副画素に最も近いフレーム画素に前記第２の方向の反対方向において隣接するフレーム画素と、
前記反対方向において隣接するフレーム画素の前記第１の軸に沿った両隣のフレーム画素と、
前記第６の各副画素に最も近いフレーム画素に前記第２の方向において隣接するフレーム画素と、
前記第２の方向において隣接するフレーム画素の前記第１の軸に沿った両隣のフレーム画素と、で構成されている、
表示装置。
【請求項６】
請求項１に記載の表示装置であって、
前記映像フレームの相対輝度データと前記表示パネルの相対輝度データとは、仮想的な画素である媒介画素を介した関係を有し、
前記媒介画素は、それぞれ前記複数のフレーム単位領域に対応する複数の媒介単位領域を含み、
前記複数の媒介単位領域はそれぞれ、対応するフレーム単位領域を前記第１の方向において４分割することで得られ、
前記複数の媒介単位領域はそれぞれ、
前記第１の方向において、第１の媒介画素、第２の媒介画素、第３の媒介画素及び第４の媒介画素の順で配列されている、前記第１の媒介画素、前記第２の媒介画素、第３の媒介画素、及び前記第４の媒介画素と
前記第２の方向において、前記第１の媒介画素、前記第２の媒介画素、前記第３の媒介画素及び前記第４の媒介画素にそれぞれ隣接し、前記第１の方向に配列されている、第５の媒介画素、第６の媒介画素、第７の媒介画素及び第８の媒介画素と、
で構成され、
前記複数の媒介単位領域の各媒介単位領域を構成する媒介画素それぞれの相対輝度値は、前記第１の軸に沿って最近接の１つ又は２つのフレーム画素の相対輝度値と重みとの演算により表わされ、
前記パネル単位領域の各副画素の相対輝度値は、複数の媒介画素の相対輝度値と重みとの演算により表わされ、
前記複数の媒介画素は、各副画素に最も近い媒介画素を含み、
前記複数の媒介画素は、それぞれ前記第１の方向に延びる複数の媒介画素ラインと、それぞれ前記第２の方向の延びる複数の媒介画素ラインとを構成し、
前記最も近い媒介画素を含む前記第１の方向に延びる第１の媒介画素ライン及び前記最も近い媒介画素を含む前記第２の方向に延びる第２の媒介画素ラインは、正の重みを有する媒介画素で構成され、
前記第１の媒介画素ライン及び前記第２の媒介画素ライン以外の媒介画素ラインは、負の重みを有する媒介画素を含み、
前記第１の媒介画素ラインの重みの合計は、前記第１の方向の延びる他のいずれの媒介画素ラインの重みの合計よりも大きく、
前記第２の媒介画素ラインの重みの合計は、前記第２の方向の延びる他のいずれの媒介画素ラインの重みの合計よりも大きい、
表示装置。
【請求項７】
請求項６に記載の表示装置であって、
前記第１の媒介画素ライン及び前記第２の媒介画素ライン以外の媒介画素ラインの重みの和は０である、
表示装置。
【請求項８】
請求項７に記載の表示装置であって、
前記第１の媒介画素ライン及び前記第２の媒介画素ラインそれぞれの重みの合計は１である、
表示装置。
【請求項９】
請求項６に記載の表示装置であって、
前記媒介単位領域を構成する各媒介画素の相対輝度値は、前記第１の軸に沿って最近接のフレーム画素の相対輝度値と一致する、
表示装置。
【請求項１０】
請求項６に記載の表示装置であって、
前記媒介単位領域を構成する少なくとも一部の媒介画素のそれぞれの相対輝度値は、前記第１の軸に沿って最近接の２つのフレーム画素の相対輝度値と重みとの演算で決まり、
前記２つのフレーム画素のうち、前記少なくとも一部の媒介画素のそれぞれにより近いフレーム画素の重みがより大きい、
表示装置。
【請求項１１】
請求項７に記載の表示装置であって、
前記第１〜第４の第１色副画素及び前記第１〜第４の第２色副画素の各副画素は第１の各副画素であり、
前記第１の各副画素の相対輝度値を決定する複数の媒介画素は、
前記第１の各副画素に最も近い媒介画素と、
前記第１の各副画素に最も近い媒介画素の前記第１の軸に沿った両隣の媒介画素と、
前記第２の軸に沿って前記第１の各副画素に２番目に近い媒介画素と、
前記第１の各副画素に２番目に近い媒介画素の前記第１の軸に沿った両隣の媒介画素と、で構成され、
前記第１〜第４の第３色副画素は第２の各副画素であり、
前記第２の各副画素の相対輝度値を決定する複数の媒介画素は、
前記第２の各副画素に最も近い媒介画素と、
前記第２の各副画素に最も近い媒介画素の前記第１の軸に沿った両隣の媒介画素と、
前記第２の各副画素に最も近い媒介画素に前記第２の方向の反対方向において隣接する媒介画素と、
前記反対方向において隣接する媒介画素の前記第１の軸に沿った両隣の媒介画素と、
前記第２の各副画素に最も近い媒介画素に前記第２の方向において隣接する媒介画素と、
前記第２の方向において隣接する媒介画素の前記第１の軸に沿った両隣の媒介画素と、で構成されている、
表示装置。
【請求項１２】
請求項１に記載の表示装置であって、
前記表示パネルの相対輝度データは、前記映像フレームのフレーム画素及び前記映像フレームのフレーム画素の外側に配列されているダミーフレーム画素の相対輝度データから変換される、
表示装置。
【請求項１３】
請求項１２に記載の表示装置であって、
前記ダミーフレーム画素の相対輝度値は、前記ダミーフレーム画素それぞれに最も近いフレーム画素の相対輝度値と一致する、
表示装置。
【発明の詳細な説明】
【技術分野】
【０００１】
本開示は、表示装置に関する。
【背景技術】
【０００２】
カラー表示装置の表示領域は、一般に、表示パネルの基板上に配列された赤（Ｒ）、緑（Ｇ）、青（Ｂ）の副画素で構成されている。副画素の様々な配置（画素配置）が提案されおり、例えば、ＲＧＢ  Ｓｔｒｉｐｅ配置や、デルタナブラ配置（単にデルタ配置とも呼ぶ）が知られている（例えば特許文献１）。
【０００３】
ＲＧＢ  Ｓｔｒｉｐｅ配置において、映像フレーム（データ）の画素の境界は、表示パネルの副画素の境界に一致し、Ｒ副画素、Ｇ副画素、及びＢ副画素は、それぞれ、映像フレームの一つの画素に対応付けることができる。しかし、デルタナブラ配置において、映像フレームの画素の境界は、表示パネルの副画素の境界に一致しない。この不対応により、特にレンダリングにより仮想的に解像度を上げるデルタナブラ配置の表示装置において、画質の低下が問題となり得る。
【先行技術文献】
【特許文献】
【０００４】
【特許文献１】特開２００３−２７１０８８号公報
【発明の概要】
【発明が解決しようとする課題】
【０００５】
したがって、デルタナブラ配置の表示装置において画質低下を抑制できる技術が望まれる。
【課題を解決するための手段】
【０００６】
本開示の一態様は、表示パネルと、映像フレームの相対輝度データを前記表示パネルの相対輝度データに変換する制御部と、を含む表示装置であって、前記映像フレームは、マトリックス状に配置された複数のフレーム単位領域で構成される領域を含み、前記複数のフレーム単位領域のそれぞれは、第１の軸に沿った第１の方向において、第１のフレーム画素、第２のフレーム画素及び第３のフレーム画素の順で配列されている、前記第１のフレーム画素、前記第２のフレーム画素及び前記第３のフレーム画素と、前記第１の軸に垂直な第２の軸に沿った第２の方向において、前記第１のフレーム画素、前記第２のフレーム画素及び前記第３のフレーム画素にそれぞれ隣接し、前記第１の方向に配列されている、第４のフレーム画素、第５のフレーム画素及び第６のフレーム画素と、で構成され、前記表示パネルの表示領域は、マトリックス状に配置された複数のパネル単位領域で構成される領域を含み、前記複数のパネル単位領域のそれぞれは、前記第２の方向において、第１の第１色副画素、第１の第２色副画素、及び第１の第３色副画素の順で配列された、前記第１の第１色副画素、前記第１の第２色副画素、及び前記第１の第３色副画素からなる第１の副画素ラインと、前記第１の副画素ラインに前記の第１方向において隣接し、前記の第２方向に、第２の第３色副画素、第２の第１色副画素、及び第２の第２色副画素の順で配列された、前記第２の第３色副画素、前記第２の第１色副画素、及び前記第２の第２色副画素からなる第２の副画素ラインと、前記第２の副画素ラインに前記第１の方向において隣接し、前記第２の方向に、第３の第１色副画素、第３の第２色副画素、及び第３の第３色副画素の順で配列された、前記第３の第１色副画素、前記第３の第２色副画素、及び前記第３の第３色副画素で構成された第３の副画素ラインと、前記第３の副画素ラインに前記第１の方向において隣接し、第４の第３色副画素、第４の第１色副画素、及び第４の第２色副画素の順で配列された、前記第４の第３色副画素、前記第４の第１色副画素、及び前記第４の第２色副画素からなる第４の副画素ラインと、を含み、前記パネル単位領域の各副画素の相対輝度値は、複数のフレーム画素の相対輝度値と重みとの演算により決定され、前記複数のフレーム画素は、各副画素に最も近いフレーム画素を含み、前記複数のフレーム画素は、それぞれ前記第１の方向に延びる複数のフレーム画素ラインと、それぞれ前記第２の方向の延びる複数のフレーム画素ラインとを構成し、前記最も近いフレーム画素を含む前記第１の方向に延びる第１のフレーム画素ライン及び前記最も近いフレーム画素を含む前記第２の方向に延びる第２のフレーム画素ラインは、正の重みを有するフレーム画素で構成され、前記第１のフレーム画素ライン及び前記第２のフレーム画素ライン以外のフレーム画素ラインは、負の重みを有するフレーム画素を含み、前記第１のフレーム画素ラインの重みの合計は、前記第１の方向の延びる他のいずれのフレーム画素ラインの重みの合計よりも大きく、前記第２のフレーム画素ラインの重みの合計は、前記第２の方向の延びる他のいずれのフレーム画素ラインの重みの合計よりも大きい。
【発明の効果】
【０００７】
本開示の一態様によれば、デルタナブラ配置の表示装置において画質低下を抑制することができる。
【図面の簡単な説明】
【０００８】
【図１】実施形態１において、ＯＬＥＤ表示装置の構成例を模式的に示す。
【図２】実施形態１において、ＯＬＥＤ表示装置の断面構造の一部を模式的に示す。
【図３】実施形態１において、ドライバＩＣの論理要素を示す。
【図４】実施形態１において、映像フレーム及びデルタナブラパネルにおける単位領域の関係を示す。
【図５】実施形態１において、フレーム単位領域と、フレーム単位領域の相対輝度値が割り当てられるパネル副画素とを示す。
【図６Ａ】実施形態１において、フレーム単位領域、パネル単位領域、及び媒介画素からなる媒介単位領域の位置関係を示す。
【図６Ｂ】実施形態１において、図６Ａからパネル単位領域を除いた図であり、フレーム単位領域と媒介単位領域の位置関係を示す。
【図７】実施形態１において、媒介画素と、その相対輝度値が割り当てられる副画素とを示す。
【図８】実施形態１において、媒介画素と、その相対輝度値が割り当てられる副画素とを示す。
【図９】実施形態１において、媒介画素と、その相対輝度値が割り当てられる副画素とを示す。
【図１０】実施形態１において、媒介画素と、その相対輝度値が割り当てられる副画素とを示す。
【図１１】実施形態１において、媒介画素と、その相対輝度値が割り当てられる副画素とを示す。
【図１２】実施形態１において、媒介画素と、その相対輝度値が割り当てられる副画素とを示す。
【図１３】実施形態１において、媒介画素と、その相対輝度値が割り当てられる副画素とを示す。
【図１４】実施形態１において、媒介画素と、その相対輝度値が割り当てられる副画素とを示す。
【図１５】実施形態１において、パネル単位領域と、当該パネル単位領域に対して相対輝度値が割り当てられる媒介画素とを示す。
【図１６】実施形態１において、副画素と、それに対して相対輝度値が割り当てられる媒介画素とを示す。
【図１７】実施形態１において、副画素と、それに対して相対輝度値が割り当てられる媒介画素とを示す。
【図１８】実施形態１において、副画素と、それに対して相対輝度値が割り当てられる媒介画素とを示す。
【図１９】実施形態１において、副画素と、それに対して相対輝度値が割り当てられる媒介画素とを示す。
【図２０】実施形態１において、副画素と、それに対して相対輝度値が割り当てられる媒介画素とを示す。
【図２１】実施形態１において、副画素と、それに対して相対輝度値が割り当てられる媒介画素とを示す。
【図２２】実施形態１において、副画素と、それに対して相対輝度値が割り当てられる媒介画素とを示す。
【図２３】実施形態１において、副画素と、それに対して相対輝度値が割り当てられる媒介画素とを示す。
【図２４】実施形態１において、副画素と、それに対して相対輝度値が割り当てられる媒介画素とを示す。
【図２５】実施形態１において、副画素と、それに対して相対輝度値が割り当てられる媒介画素とを示す。
【図２６】実施形態１において、副画素と、それに対して相対輝度値が割り当てられる媒介画素とを示す。
【図２７】実施形態１において、副画素と、それに対して相対輝度値が割り当てられる媒介画素とを示す。
【図２８】実施形態１において、副画素と、それに対して相対輝度値が割り当てられるフレーム画素とを示す。
【図２９】実施形態１において、副画素と、それに対して相対輝度値が割り当てられるフレーム画素とを示す。
【図３０】実施形態１において、副画素と、それに対して相対輝度値が割り当てられるフレーム画素とを示す。
【図３１】実施形態１において、副画素と、それに対して相対輝度値が割り当てられるフレーム画素とを示す。
【図３２】実施形態１において、副画素と、それに対して相対輝度値が割り当てられるフレーム画素とを示す。
【図３３】実施形態１において、副画素と、それに対して相対輝度値が割り当てられるフレーム画素とを示す。
【図３４】実施形態１において、副画素と、それに対して相対輝度値が割り当てられるフレーム画素とを示す。
【図３５】実施形態１において、副画素と、それに対して相対輝度値が割り当てられるフレーム画素とを示す。
【図３６】実施形態１において、副画素と、それに対して相対輝度値が割り当てられるフレーム画素とを示す。
【図３７】実施形態１において、副画素と、それに対して相対輝度値が割り当てられるフレーム画素とを示す。
【図３８】実施形態１において、副画素と、それに対して相対輝度値が割り当てられるフレーム画素とを示す。
【図３９】実施形態１において、副画素と、それに対して相対輝度値が割り当てられるフレーム画素とを示す。
【図４０】実施形態１において、パネル単位領域における、副画素（アノード電極）と配線との接続関係を模式的に示す。
【図４１】実施形態２において、副画素と、それに対して相対輝度値が割り当てられるフレーム画素とを示す。
【図４２】実施形態２において、副画素と、それに対して相対輝度値が割り当てられるフレーム画素とを示す。
【図４３】実施形態２において、副画素と、それに対して相対輝度値が割り当てられるフレーム画素とを示す。
【図４４】実施形態２において、副画素と、それに対して相対輝度値が割り当てられるフレーム画素とを示す。
【図４５】実施形態２において、副画素と、それに対して相対輝度値が割り当てられるフレーム画素とを示す。
【図４６】実施形態２において、副画素と、それに対して相対輝度値が割り当てられるフレーム画素とを示す。
【図４７】実施形態２において、副画素と、それに対して相対輝度値が割り当てられるフレーム画素とを示す。
【図４８】実施形態２において、副画素と、それに対して相対輝度値が割り当てられるフレーム画素とを示す。
【図４９】実施形態２において、副画素と、それに対して相対輝度値が割り当てられるフレーム画素とを示す。
【図５０】実施形態２において、副画素と、それに対して相対輝度値が割り当てられるフレーム画素とを示す。
【図５１】実施形態２において、副画素と、それに対して相対輝度値が割り当てられるフレーム画素とを示す。
【図５２】実施形態２において、副画素と、それに対して相対輝度値が割り当てられるフレーム画素とを示す。
【図５３】実施形態３において、映像フレーム（入力データ）及び、映像フレーム周囲に配置されたダミーデータを示す。
【発明を実施するための形態】
【０００９】
以下、添付図面を参照して本発明の実施形態を説明する。本実施形態は本発明を実現するための一例に過ぎず、本発明の技術的範囲を限定するものではないことに注意すべきである。各図において共通の構成については同一の参照符号が付されている。
【００１０】
＜実施形態１＞
［表示装置の構成］
図１及び図２を参照して、本実施形態に係る、表示装置の全体構成を説明する。なお、説明をわかりやすくするため、図示した物の寸法、形状については、誇張して記載している場合もある。以下において、表示装置の例として、ＯＬＥＤ（Ｏｒｇａｎｉｃ  Ｌｉｇｈｔ−Ｅｍｉｔｔｉｎｇ  Ｄｉｏｄｅ）表示装置を説明するが、本開示の特徴は、液晶表示装置や量子ドット表示装置等、ＯＬＥＤ表示装置と異なる任意の種類の表示装置に適用することができる。
【００１１】
図１は、ＯＬＥＤ表示装置１０の構成例を模式的に示す。ＯＬＥＤ表示装置１０は、ＯＬＥＤ表示パネルと制御装置とを含む。ＯＬＥＤ表示パネルは、発光素子が形成されるＴＦＴ（Ｔｈｉｎ  Ｆｉｌｍ  Ｔｒａｎｓｉｓｔｏｒ）基板１００と、ＯＬＥＤ素子を封止する封止基板２００と、ＴＦＴ基板１００と封止基板２００とを接合する接合部（ガラスフリットシール部）３００を含む。ＴＦＴ基板１００と封止基板２００との間には、例えば、乾燥空気が封入されており、接合部３００により封止されている。
【００１２】
ＴＦＴ基板１００の表示領域１２５の外側のカソード電極形成領域１１４の周囲に、走査ドライバ１３１、エミッションドライバ１３２、保護回路１３３、及びドライバＩＣ１３４が配置されている。これらは、ＦＰＣ（Ｆｌｅｘｉｂｌｅ  Ｐｒｉｎｔｅｄ  Ｃｉｒｃｕｉｔ）１３５を介して外部の機器と接続される。ドライバＩＣ１３４は制御装置に含まれる。走査ドライバ１３１、エミッションドライバ１３２、及び保護回路１３３は、制御装置、又は、ＯＬＥＤ表示パネル及び制御装置に含まれる。
【００１３】
走査ドライバ１３１はＴＦＴ基板１００の走査線を駆動する。エミッションドライバ１３２は、エミッション制御線を駆動して、各副画素の発光期間を制御する。保護回路１３３は素子を静電気放電から保護する。ドライバＩＣ１３４は、例えば、異方性導電フィルム（ＡＣＦ：Ａｎｉｓｏｔｒｏｐｉｃ  Ｃｏｎｄｕｃｔｉｖｅ  Ｆｉｌｍ）を用いて実装される。
【００１４】
ドライバＩＣ１３４は、走査ドライバ１３１及びエミッションドライバ１３２に電源及びタイミング信号（制御信号）を与え、さらに、データ線に映像データに対応する信号を与える。すなわち、ドライバＩＣ１３４は、表示制御機能を有する。後述するように、ドライバＩＣ１３４は、映像フレームの画素の相対輝度データを表示パネルの副画素の相対輝度データに変換する機能を有する。
【００１５】
図１において、左から右に延びる軸をＸ軸、上から下に延びる軸をＹ軸と呼ぶ。走査線はＸ軸に沿って延びており、表示領域１２５において、Ｘ軸に沿って配列された画素又は副画素を画素又は副画素の行と呼ぶ。表示領域１２５において、Ｙ軸に沿って配列された画素又は副画素を画素列又は副画素の列と呼ぶ。
【００１６】
次に、ＯＬＥＤ表示装置１０の詳細構造について説明する。図２は、ＯＬＥＤ表示装置１０の断面構造の一部を模式的に示す。図２に示すように、ＯＬＥＤ表示装置１０は、ＴＦＴ基板１００と、ＴＦＴ基板１００と対向する封止構造部とを含む。ここで、封止構造部の一例は、可撓性又は不撓性の封止基板２００である。封止構造部は、例えば、薄膜封止（ＴＦＥ：Ｔｈｉｎ  Ｆｉｌｍ  Ｅｎｃａｐｓｕｌａｔｉｏｎ）構造であってもよい。
【００１７】
ＴＦＴ基板１００は、絶縁基板１５１と封止構造部との間に配置された、複数の下部電極（例えば、アノード電極１６２）と、１つの上部電極（例えば、カソード電極１６６）と、複数の有機発光層１６５とを含む。カソード電極１６６は、有機発光層１６５（有機発光膜１６５とも記す）からの光を封止構造部に向けて透過させる透明電極である。
【００１８】
１つのカソード電極１６６と１つのアノード電極１６２との間に、１つの有機発光層１６５が配置されている。複数のアノード電極１６２は、同一面上（例えば、平坦化膜１６１の上）に配置され、１つのアノード電極１６２の上に１つの有機発光層１６５が配置されている。
【００１９】
ＯＬＥＤ表示装置１０は、封止構造部に向かって立ち上がる複数のスペーサ１６４と、それぞれが複数のスイッチを含む複数の回路とを有する。複数の回路の各々は、絶縁基板１５１とアノード電極１６２との間に形成され、複数のアノード電極１６２の各々に供給する電流を制御する。
【００２０】
図２は、トップエミッション型の画素構造の例を示す。トップエミッション型の画素構造は、光が出射する側（図面上側）に、複数の画素に共通のカソード電極１６６が配置される。カソード電極１６６は、表示領域１２５の全面を完全に覆う形状を有する。本開示の特徴は、ボトムエミッション型の画素構造を有するＯＬＥＤ表示装置にも適用できる。ボトムエミッション型の画素構造は、透明アノード電極と反射カソード電極を有し、ＴＦＴ基板１００を介して外部に光を出射する。
【００２１】
以下、ＯＬＥＤ表示装置１０についてより詳しく説明する。ＴＦＴ基板１００は、表示領域１２５内に配列された副画素、及び、表示領域１２５の周囲の配線領域に形成された配線を含む。配線は、画素回路と、配線領域に配置された回路１３１、１３２、１３４とを接続する。
【００２２】
本実施形態の表示領域１２５は、デルタナブラ配置された副画素で構成されている。デルタナブラ配置の詳細は後述する。以下において、ＯＬＥＤ表示パネルを、デルタナブラパネルと呼ぶことがある。副画素は、赤（Ｒ）、緑（Ｇ）、又は青（Ｂ）のいずれかの色を表示する発光領域である。以下に説明する例は、上記三色の組により画像を表示するが、ＯＬＥＤ表示装置１０は、これと異なる三色の組により表示してもよい。
【００２３】
発光領域は、ＯＬＥＤ素子に含まれる。ＯＬＥＤ素子は、下部電極であるアノード電極、有機発光層、及び上部電極であるカソード電極を含んで構成される。すなわち、複数のＯＬＥＤ素子は、１つのカソード電極１６６と、複数のアノード電極１６２と、複数の有機発光層１６５により形成されている。
【００２４】
絶縁基板１５１は、例えばガラス又は樹脂で形成されており、不撓性又は可撓性基板である。なお、以下の説明において、絶縁基板１５１に近い側を下側、遠い側を上側と記す。ゲート絶縁膜１５６を介して、ゲート電極１５７が形成されている。ゲート電極１５７の層上に層間絶縁膜１５８が形成されている。
【００２５】
表示領域１２５内において、層間絶縁膜１５８上にソース電極１５９、ドレイン電極１６０が形成されている。ソース電極１５９、ドレイン電極１６０は、例えば、高融点金属又はその合金で形成される。ソース電極１５９、ドレイン電極１６０は、層間絶縁膜１５８のコンタクトホールに形成されたコンタクト部１６８、１６９によって、チャネル部１５５に接続されている。
【００２６】
ソース電極１５９、ドレイン電極１６０の上に、絶縁性の平坦化膜１６１が形成される。絶縁性の平坦化膜１６１の上に、アノード電極１６２が形成されている。アノード電極１６２は、平坦化膜１６１のコンタクトホールに形成されたコンタクト部によってドレイン電極１６０に接続されている。画素回路（ＴＦＴｓ）は、アノード電極１６２の下側に形成されている。
【００２７】
アノード電極１６２の上に、ＯＬＥＤ素子を分離する絶縁性の画素定義層（Ｐｉｘｅｌ  Ｄｅｆｉｎｉｎｇ  Ｌａｙｅｒ：ＰＤＬ）１６３が形成されている。ＯＬＥＤ素子は、積層された、アノード電極１６２、有機発光層１６５、及びカソード電極１６６（の部分）で構成される。発光領域ＯＬＥＤ素子は、画素定義層１６３の開口１６７に形成されている。
【００２８】
絶縁性のスペーサ１６４は、２つのアノード電極１６２の間における、画素定義層１６３の面上に形成されている。スペーサ１６４の頂面は画素定義層１６３の上面よりも高い（封止基板２００に近い）位置にあり、封止基板２００が変形した場合に、封止基板２００を支持して、ＯＬＥＤ素子と封止基板２００との間隔を維持する。
【００２９】
アノード電極１６２の上に、有機発光層１６５が形成されている。有機発光層１６５は、画素定義層１６３の開口１６７及びその周囲において、画素定義層１６３に付着している。有機発光層１６５の上にカソード電極１６６が形成されている。カソード電極１６６は、透明電極である。カソード電極１６６は、有機発光層１６５からの可視光の全て又は一部を透過させる。
【００３０】
画素定義層１６３の開口１６７に形成された、アノード電極１６２、有機発光層１６５及びカソード電極１６６の積層膜が、ＯＬＥＤ素子を構成する。電流は画素定義層１６３の開口１６７のみに流れので、開口１６７において露出している有機発光層１６５の領域が、ＯＬＥＤ素子の発光領域（副画素）である。カソード電極１６６は、分離して形成されているアノード電極１６２及び有機発光層１６５（ＯＬＥＤ素子）に共通である。なお、カソード電極１６６の上には、不図示のキャップ層が形成されてもよい。
【００３１】
封止基板２００は、透明な絶縁基板であって、例えばガラス基板である。封止基板２００の光出射面（前面）に、λ／４位相差板２０１と偏光板２０２とが配置され、外部から入射した光の反射を抑制する。
【００３２】
［ドライバＩＣの構成］
図３は、ドライバＩＣ１３４の論理要素を示す。ドライバＩＣ１３４は、ガンマ変換部３４１、相対輝度変換部３４２、逆ガンマ変換部３４３、駆動信号生成部３４４、及びデータドライバ３４５を含む。
【００３３】
ドライバＩＣ１３４は、不図示の主制御部から、映像信号及び映像信号用タイミング信号を受信する。映像信号は、連続する映像フレームのデータ（信号）を含む。ガンマ変換部３４１、入力された映像信号に含まれるＲＧＢ階調値（信号）を、ＲＧＢ相対輝度値に変換する。より具体的には、ガンマ変換部３４１、各映像フレームの各画素のＲ階調値、Ｇ階調値、Ｂ階調値を、Ｒ相対輝度値、Ｇ相対輝度値、Ｂ相対輝度値（ＬＲｉｎ、ＬＧｉｎ、ＬＢｉｎ）に変換する。画素の相対輝度値は、映像フレーム内で正規化された輝度値である。
【００３４】
相対輝度変換部３４２は、映像フレーム内の各画素のＲ、Ｇ、Ｂ相対輝度値（ＬＲｉｎ、ＬＧｉｎ、ＬＢｉｎ）を、ＯＬＥＤ表示パネルの副画素のＲ、Ｇ、Ｂ相対輝度値（ＬＲｐ、ＬＧｐ、ＬＢｐ）に変換する。相対輝度変換部３４２による演算処理の詳細は後述する。副画素の相対輝度値は、ＯＬＥＤ表示パネルにおいて正規化された副画素の輝度値である。
【００３５】
逆ガンマ変換部３４３は、相対輝度変換部３４２による演算後のＲ副画素、Ｇ副画素、Ｂ副画素の相対輝度値を、Ｒ副画素、Ｇ副画素、Ｂ副画素の階調値に変換する。データドライバ３４５は、Ｒ副画素、Ｇ副画素、Ｂ副画素の階調値に応じた駆動信号を、画素回路に送信する。
【００３６】
駆動信号生成部３４４は、入力された映像信号用タイミング信号を、ＯＬＥＤ表示パネルの表示制御用駆動信号に変換する。映像信号用タイミング信号は、データ転送レートを決定するドットクロック（ピクセルクロック）、水平同期信号、垂直同期信号、データイネーブル信号を含む。
【００３７】
駆動信号生成部３４４は、入力された映像信号用タイミング信号のドットクロックを、デルタナブラパネル（ＯＬＥＤ表示パネル）の画素数に合わせ、２／３倍の周波数に変換する。後述するように、本実施形態のデルタナブラパネルにおける走査線に沿った方向（行方向とも呼ぶ）の画素数は、映像フレームにおける走査線に沿った方向の画素数の２／３である。本実施形態は、レンダリングによって、ＯＬＥＤ表示パネルの解像度を仮想的に向上する。
【００３８】
駆動信号生成部３４４は、さらに、データイネーブル信号、垂直同期信号、水平同期信号から、デルタナブラパネルのソースドライバ３５５、走査ドライバ１３１、及びエミッションドライバ１３２の制御信号（又は、パネルの駆動信号）を生成し、それらに出力する。
【００３９】
［映像フレーム及びデルタナブラパネルにおける画素配置］
図４は、映像フレーム及びデルタナブラパネルにおける単位領域の関係を示す。映像フレームの表示画像は、行方向（Ｘ軸（第１の軸）に沿った方向）及び列方向（Ｙ軸（第２の軸）に沿った方向）に繰り返すフレーム単位領域４１で構成されている。表示画像は、マトリックス状に配置されたフレーム単位領域４１で構成されている。表示画像の一部のみが、フレーム単位領域４１で構成されていてもよい。
【００４０】
フレーム単位領域４１は、２行３列の６つのフレーム画素（単に画素とも呼ぶ）Ｐ１１〜Ｐ２３で構成されている。フレーム画素は、３色の副画素の相対輝度値の情報を含む。画素Ｐ１１〜Ｐ２３の形状は同一である。本例において画素Ｐ１１〜Ｐ２３は正方形であるが、これに限定されない。
【００４１】
画素Ｐ１１〜Ｐ２３はマトリックス状に配置されている。画素Ｐ１１、Ｐ１２、及びＰ１３は、この順で、行方向に連続して配列されており、行方向に延びる画素行（画素ライン）を構成する。画素Ｐ１２は、画素Ｐ１１及びＰ１３に隣接している。これらの重心は、行方向に延びる仮想直線上にあり、間隔は一定である。画素Ｐ１１、Ｐ１２、及びＰ１３は、映像フレームにおける２ｍ（ｍは０又は正の整数）番の画素行に含まれる。
【００４２】
画素Ｐ２１、Ｐ２２、及びＰ２３は、この順で、行方向に連続して配列されており、行方向に延びる画素行（画素ライン）を構成する。画素Ｐ２２は、画素Ｐ２１及びＰ２３に隣接している。これらの重心は、行方向に延びる仮想直線上にあり、間隔は一定である。画素Ｐ２１、Ｐ２２、及びＰ２３は、映像フレームにおける２ｍ＋１番の画素行に含まれる。
【００４３】
互いに隣接する画素Ｐ１１及びＰ２１は、列方向に連続して配列されており、列方向に延びる画素列（画素ライン）を構成する。これらの重心は、列方向に延びる仮想直線上にあり、間隔は一定である。画素Ｐ１１及びＰ２１は、映像フレームにおける３ｎ番（ｎは０又は正の整数）の画素列に含まれる。
【００４４】
互いに隣接する画素Ｐ１２及びＰ２２は、列方向に連続して配列されており、列方向に延びる画素列（画素ライン）を構成する。これらの重心は、列方向に延びる仮想直線上にあり、間隔は一定である。画素Ｐ１２及びＰ２２は、映像フレームにおける３ｎ＋１番の画素列に含まれる。
【００４５】
互いに隣接する画素Ｐ１３及びＰ２３は、列方向に連続して配列されており、列方向に延びる画素列（画素ライン）を構成する。これらの重心は、列方向に延びる仮想直線上にあり、間隔は一定である。画素Ｐ１３及びＰ２３は、映像フレームにおける３ｎ＋２番の画素列に含まれる。
【００４６】
デルタナブラパネルの表示領域１２５は、行方向（Ｘ軸に沿った方向）及び列方向（Ｙ軸に沿った方向）に繰り返すパネル単位領域４５で構成されている。表示領域１２５は、マトリックス状に配置されたパネル単位領域４５で構成されている。表示領域１２５の一部のみが、パネル単位領域４５で構成されていてもよい。図４は、互いに対応するフレーム単位領域４１及びパネル単位領域４５を示す。
【００４７】
パネル単位領域４５は、１２のパネル副画素（単に副画素とも呼ぶ）Ｒ１〜Ｒ４、Ｂ１〜Ｂ４、Ｇ１〜Ｇ４、で構成されている。副画素の符号におけるＲ、Ｂ、Ｇは、それぞれ、赤（第１色の例）、青（第２色の例）、緑（第３色の例）を意味する。副画素の形状は同一である。本例において副画素は行方向に長い長方形であるが、これに限定されない。たとえば、各副画素は、六角形又は八角形でもよく、異なる色の副画素が異なる形状を有してもよい。
【００４８】
隣接するＲ副画素、Ｇ副画素及びＢ副画素かなるパネル画素を定義すると、パネル単位領域４５は２行２列のパネル画素で構成されている。図４において、２つのパネル画素を、例として、三角形（デルタ）及び逆三角形（ナブラ）で示す。デルタナブラ配置はデルタ形状のパネル画素とナブラ形状のパネル画素とを交互に配列する構成を有する。
【００４９】
副画素Ｒ１、Ｂ１、Ｇ３は、この順において、列方向に連続して配列されており、列方向に延びる副画素列（副画素ライン）を構成する。副画素Ｂ１は、副画素Ｒ１及びＧ３に隣接している。これらの重心は、列方向に延びる仮想直線上にあり、間隔は一定である。副画素Ｇ１、Ｒ３、Ｂ３は、この順において、列方向に連続して配列されており、列方向に延びる副画素列（副画素ライン）を構成する。副画素Ｒ３は、副画素Ｇ１及びＢ３に隣接している。これらの重心は、列方向に延びる仮想直線上にあり、間隔は一定である。
【００５０】
副画素Ｒ２、Ｂ２、Ｇ４は、この順において、列方向に連続して配列されており、列方向に延びる副画素列（副画素ライン）を構成する。副画素Ｂ２は、副画素Ｒ２及びＧ４に隣接している。これらの重心は、列方向に延びる仮想直線上にあり、間隔は一定である。副画素Ｇ２、Ｒ４、Ｂ４は、この順において、列方向に連続して配列されており、列方向に延びる副画素列（副画素ライン）を構成する。副画素Ｒ４は、副画素Ｇ２及びＢ４に隣接している。これらの重心は、列方向に延びる仮想直線上にあり、間隔は一定である。
【００５１】
図４の例において、副画素列の色順序は同一であり、Ｒ副画素、Ｂ副画素、Ｇ副画素の順で、副画素が循環的に配列されている。各副画素列の各副画素は、行方向において、隣接する副画素列の異なる色の副画素に隣接している。例えば、Ｒ画素は、隣接する副画素列それぞれのＧ画素及びＢ画素に隣接している。
【００５２】
図４の例において、パネル単位領域４５を構成する副画素Ｒ１〜Ｒ４、Ｇ１〜Ｇ４、Ｂ１〜Ｂ４のレイアウトは、千鳥配置である。各副画素の重心は、列方向において、隣接副画素列それぞれの、２つの副画素の重心の間に位置し、図４の例において中央に位置する。
【００５３】
奇数番副画素列の、列方向における副画素の位置及び色は同一である。同様に、偶数番副画素列の、列方向における副画素の位置及び色は同一である。図４の例において、各副画素列において、副画素は、一定ピッチＰｙで配列されている。副画素列は、隣接する副画素列にたいして、（３／２）Ｐｙずれている。
【００５４】
副画素行は、行方向に配列された同一色の副画素で構成される。パネル単位領域４５は、６つの副画素行で構成されている。それらは、副画素Ｒ１及びＲ２からなるＲ副画素行、副画素Ｇ１及びＧ２からなるＧ副画素行、副画素Ｂ１及びＢ２からなるＢ副画素行、
副画素Ｒ３及びＲ４からなるＲ副画素行、副画素Ｇ３及びＧ４からなるＧ副画素行、副画素Ｂ３及びＢ４からなるＢ副画素行、である。各副画素行は、奇数又は偶数の副画素列の副画素で構成されている。隣接する異なる色の副画素行の列方向における間隔（ピッチ）は、（１／２）Ｐｙである。
【００５５】
図４に示すパネル単位領域４５を構成する副画素のレイアウトは、一例である。例えば、パネル単位領域４５を構成する副画素のレイアウトは千鳥配置でなくてもよく、例えば、マトリックス配置であってもよい。たとえば、パネル単位領域４５の副画素列は３つの色の副画素で構成され、副画素行は交互に配列された２つの色の副画素で構成されてもよい。副画素列の副画素の重心は仮想直線状に存在せず、重心を結んだ線が折れ線であってもよい。また、副画素列における副画素の重心間の間隔は一定でなくてもよい。
【００５６】
図５は、フレーム単位領域４１と、フレーム単位領域４１の相対輝度値が割り当てられるパネル副画素とを示す。フレーム単位領域４１の相対輝度値は、対応するパネル単位領域４５及びそれに行方向及び列方向において隣接する複数の副画素Ｒ５〜Ｒ９、Ｇ５〜Ｇ１２、Ｂ５〜Ｂ９に対して割り当てられる。複数の副画素Ｒ５〜Ｒ９、Ｇ５〜Ｇ１２、Ｂ５〜Ｂ９は、パネル単位領域４５の周囲を囲む。
【００５７】
後述するように、一つの副画素に対して、複数行及び複数列のフレーム画素の相対輝度値が割り当てられる。フレーム画素の相対輝度値は、Ｒ相対輝度値、Ｇ相対輝度値及びＢ相対輝度値のタプルであり、副画素の色と同一色の相対輝度値がフレーム画素から当該副画素に割り当てられる。また、１つのフレーム画素の各色の相対輝度値は、それぞれ、複数の各色の副画素に割り当てられる。
【００５８】
以下に説明する例において、フレーム画素とパネル副画素とは、相対輝度値の割り当てのため、仮想的な媒介画素を介して関係づけられる。上述のように、フレーム単位領域４１は２画素行で構成され、パネル単位領域４５は各色２副画素行で構成されている。一方、フレーム単位領域４１は３画素列で構成され、パネル単位領域４５は４副画素列で構成されている。
【００５９】
そのため、３パネル画素列（の相対輝度値）に対して、４媒介画素列（の相対輝度値）が関係付けられる。図６Ａは、フレーム単位領域４１、パネル単位領域４５、及び媒介画素からなる媒介単位領域４７の位置関係を示す。図６Ｂは、図６Ａからパネル単位領域４５を除いた図であり、フレーム単位領域４１と媒介単位領域４７の位置関係を示す。
【００６０】
媒介単位領域４７の外形は、パネル単位領域４５に一致する。媒介単位領域４７は、８つの媒介画素Ｖ１１〜Ｖ２４で構成されている。媒介画素Ｖ１１〜Ｖ２４の形状は共通である。媒介単位領域４７は、２ｍ番目及び２ｍ＋１番目の２つの媒介画素行で構成されている。媒介単位領域４７は、４ｎ〜４ｎ＋３番目の４つの媒介画素列で構成されている。
【００６１】
媒介単位領域４７の行数は、パネル単位領域４５と同一である。媒介単位領域４７の列数はパネル単位領域４５の４／３倍である。媒介画素列のピッチ（行方向におけるピッチ）は、パネル副画素列のピッチと一致している。媒介画素を介して、フレーム画素とパネル副画素の相対輝度値を対応付けることで、相対輝度値の適切な割り当てを容易に設計することができる。
【００６２】
フレーム単位領域４１の相対輝度値と媒介単位領域４７の相対輝度値との間のいくつかの関係例を使用することができる。例えばは、線形補完を使用することができる。フレーム単位領域４１の画素行の相対輝度値が、媒介単位領域４７の同一番号の画素行の相対輝度値と関連付けられる。
【００６３】
例えば、フレーム画素Ｐ１１、Ｐ１２及びＰ１３の相対輝度値が、媒介画素Ｖ１１〜Ｖ１４の相対輝度値と関連付けられる。また、フレーム画素Ｐ２１、Ｐ２２及びＰ２３の相対輝度値が、媒介画素Ｖ２１〜Ｖ２４の相対輝度値と関連付けられる。
【００６４】
媒介画素Ｖ１１はフレーム画素Ｐ１１内に完全に含まれている、つまり、媒介画素Ｖ１１の全ての領域がフレーム画素Ｐ１１の領域に重なっている。フレーム画素Ｐ１１の相対輝度値のみが、媒介画素Ｖ２１に割り当てられ、それらの相対輝度値（Ｒ、Ｇ及びＢの相対輝度値からなるタプル）は同一である。つまり、割り当ての重みが１である。なお、以下において、フレーム画素、媒介画素及び副画素の第１要素が、他の第２要素を含むとは、第２要素の領域の一部又は全部が、第１要素の領域と重なることを意味する。
【００６５】
同様に、媒介画素Ｖ１４、Ｖ２１、及びＶ２４のそれぞれの相対輝度値も、対応する一つのパネル画素の相対輝度値と一致する。これらの関係は、以下の数式で表わされる。「Ｌ＿」はサフィックスが示す画素の相対輝度値（Ｒ、Ｇ及びＢの相対輝度値からなるタプル）を表す。
【００６６】
Ｌ＿Ｖ１１＝Ｌ＿Ｐ１１
Ｌ＿Ｖ１４＝Ｌ＿Ｐ１３
Ｌ＿Ｖ２１＝Ｌ＿Ｐ２１
Ｌ＿Ｖ２４＝Ｌ＿Ｐ２３
【００６７】
媒介画素Ｖ１２の一部は、フレーム画素Ｐ１１に含まれ、他の一部はフレーム画素Ｐ１２に含まれる。フレーム画素Ｐ１２に含まれる面積がより大きく、フレーム画素Ｐ１２と媒介画素Ｖ１２の重心間の距離が、フレーム画素Ｐ１１と媒介画素Ｖ１２の重心間の距離より近い。媒介画素Ｖ１２に対して、フレーム画素Ｐ１１及びＰ１２の相対輝度値が割り当てられる。
【００６８】
割り当ての重みは、線形補完により決定される。これにより、映像フレームにより即した自然な画像を表示することができる。具体的には、フレーム画素Ｐ１１の相対輝度値の重みは１／４であり、フレーム画素Ｐ１２の相対輝度値の重みは３／４である。同様に媒介画素Ｖ１３、Ｖ２２、及びＶ２３の相対輝度値は、それぞれが含まれる二つのパネル画素の相対輝度値から決定される。媒介画素Ｖ１２、Ｖ１３、Ｖ２２、及びＶ２３とパネル画素の相対輝度値との関係は、以下の数式で表わされる。
【００６９】
Ｌ＿Ｖ１２＝（１／４）Ｌ＿Ｐ１１＋（３／４）Ｌ＿Ｐ１２
Ｌ＿Ｖ１３＝（３／４）Ｌ＿Ｐ１２＋（１／４）Ｌ＿Ｐ１３
Ｌ＿Ｖ２２＝（１／４）Ｌ＿Ｐ２１＋（３／４）Ｌ＿Ｐ２２
Ｌ＿Ｖ２３＝（３／４）Ｌ＿Ｐ２２＋（１／４）Ｌ＿Ｐ２３
【００７０】
上記計算例は、両端の４つの媒介画素に対して最近傍のパネル画素の相対輝度値を与える。これは、両端の媒介画素の重心を対応するパネル画素の重心に一致させる（重心が等しいと仮定する）ことを意味する。上記計算例は、両端の媒介画素の重心のシフトに応じて、中央の４つの媒介画素の重心位置をシフトさせる。上記計算例において、この位置関係に従って重みが決定されている。この方法により演算を簡略化できる。
【００７１】
線形補完を使用する他の例は、以下の数式で表わされる。
Ｌ＿Ｖ１１＝（１／８）Ｌ＿Ｐ１０＋（７／８）Ｌ＿Ｐ１１
Ｌ＿Ｖ１２＝（３／８）Ｌ＿Ｐ１１＋（５／８）Ｌ＿Ｐ１２
Ｌ＿Ｖ１３＝（５／８）Ｌ＿Ｐ１２＋（３／８）Ｌ＿Ｐ１３
Ｌ＿Ｖ１４＝（７／８）Ｌ＿Ｐ１３＋（１／８）Ｌ＿Ｐ１４
Ｌ＿Ｖ２１＝（１／８）Ｌ＿Ｐ２０＋（７／８）Ｌ＿Ｐ２１
Ｌ＿Ｖ２２＝（３／８）Ｌ＿Ｐ２１＋（５／８）Ｌ＿Ｐ２２
Ｌ＿Ｖ２３＝（５／８）Ｌ＿Ｐ２２＋（３／８）Ｌ＿Ｐ２３
Ｌ＿Ｖ２４＝（７／８）Ｌ＿Ｐ２３＋（１／８）Ｌ＿Ｐ２４
【００７２】
上記計算例は媒介画素の重心位置とパネル画素の重心位置に基づく線形補完により媒介画素それぞれの相対輝度値を決定する。以下においては、両端の４つの媒介画素に対して最近傍のパネル画素の相対輝度値を与える例について、詳細に説明する。
【００７３】
各媒介画素の各色の相対輝度値が、複数の副画素に割り当てられる。以下において、媒介画素と、媒介画素の相対輝度値を割り当てる副画素との関係を説明する。図７は、媒介画素Ｖ１１と、その相対輝度値が割り当てられる副画素とを示す。媒介画素Ｖ１１の相対輝度値は、副画素Ｒ１、Ｒ３、Ｒ６、Ｇ１、Ｇ３、Ｇ５、Ｇ８、Ｂ１、Ｂ５及びＢ６に割り当てられる。
【００７４】
媒介画素Ｖ１１は、副画素Ｒ１及びＢ１それぞれの大部分を含み、他の副画素は媒介画素Ｖ１１の外側に位置する。本例において、媒介画素Ｖ１１の重心位置は、副画素Ｒ１及びＢ１の重心の間の中央に位置する。媒介画素Ｖ１１は、副画素Ｒ１及びＢ１以外の副画素に囲まれている。
【００７５】
図７において、副画素における括弧内の数字は、重み（比率）を示す。つまり、媒介画素Ｖ１１の相対輝度値に重みを掛けた相対輝度値が、当該副画素に割り当てられる。図７に示すように、いくつかの副画素に対して、負の重みが割り当てられている。具体的には、副画素Ｂ５、Ｂ６、Ｒ６及びＲ３に対して、−１／８の重みが割り当てられている。他の副画素に対しては、正の重みが割り当てられている。副画素Ｒ１及びＢ１の重みが最も大きい。
【００７６】
図８は、媒介画素Ｖ１２と、その相対輝度値が割り当てられる副画素とを示す。媒介画素Ｖ１２の相対輝度値は、副画素Ｒ１、Ｒ２、Ｒ３、Ｇ１、Ｇ３、Ｇ４、Ｇ５、Ｇ６、Ｂ１、Ｂ２及びＢ６に割り当てられる。
【００７７】
媒介画素Ｖ１２は、副画素Ｇ１の全てと、副画素Ｒ３及びＢ６それぞれの少ない一部を含む。他の副画素は媒介画素Ｖ１２の外側に位置する。本例において、媒介画素Ｖ１１の重心位置は、副画素Ｇ１の重心位置と一致する。媒介画素Ｖ１１は、副画素Ｇ１以外の副画素に囲まれている。
【００７８】
図８に示すように、いくつかの副画素に対して、負の重みが割り当てられている。具体的には、副画素Ｇ３〜Ｇ６に対して、−１／１６の重みが割り当てられている。他の副画素に対しては、正の重みが割り当てられている。副画素Ｇ１の重みが最も大きい。
【００７９】
図９は、媒介画素Ｖ１３と、その相対輝度値が割り当てられる副画素とを示す。媒介画素Ｖ１３の相対輝度値は、副画素Ｒ２、Ｒ３、Ｒ４、Ｇ１、Ｇ２、Ｇ４、Ｇ６、Ｂ２、Ｂ６及びＢ７に割り当てられる。
【００８０】
媒介画素Ｖ１３は、副画素Ｒ２及びＢ２それぞれの大部分を含み、他の副画素は媒介画素Ｖ１３の外側に位置する。本例において、媒介画素Ｖ１３の重心位置は、副画素Ｒ２及びＢ２の重心の間の中央に位置する。媒介画素Ｖ１３は、副画素Ｒ２及びＢ２以外の副画素に囲まれている。
【００８１】
図９に示すように、いくつかの副画素に対して、負の重みが割り当てられている。具体的には、副画素Ｂ６、Ｂ７、Ｒ３及びＲ４に対して、−１／８の重みが割り当てられている。他の副画素に対しては、正の重みが割り当てられている。副画素Ｒ２及びＢ２の重みが最も大きい。
【００８２】
図１０は、媒介画素Ｖ１４と、その相対輝度値が割り当てられる副画素とを示す。媒介画素Ｖ１４の相対輝度値は、副画素Ｒ２、Ｒ４、Ｒ５、Ｇ２、Ｇ４、Ｇ６、Ｇ７、Ｇ９、Ｂ２、Ｂ７及びＢ８に割り当てられる。
【００８３】
媒介画素Ｖ１４は、副画素Ｇ２の全てと、副画素Ｒ４及びＢ７それぞれの少ない一部を含む。他の副画素は媒介画素Ｖ１４の外側に位置する。本例において、媒介画素Ｖ１４の重心位置は、副画素Ｇ２の重心位置と一致する。媒介画素Ｖ１４は、副画素Ｇ２以外の副画素に囲まれている。
【００８４】
図１０に示すように、いくつかの副画素に対して、負の重みが割り当てられている。具体的には、副画素Ｇ４、Ｇ６、Ｇ７及びＧ９に対して、−１／１６の重みが割り当てられている。他の副画素に対しては、正の重みが割り当てられている。副画素Ｇ２の重みが最も大きい。
【００８５】
図１１は、媒介画素Ｖ２１と、その相対輝度値が割り当てられる副画素とを示す。媒介画素Ｖ２１の相対輝度値は、副画素Ｒ３、Ｒ６、Ｒ７、Ｇ１、Ｇ３、Ｇ８、Ｇ１０、Ｇ１１、Ｂ１、Ｂ３及びＢ９に割り当てられる。
【００８６】
媒介画素Ｖ２１は、副画素Ｇ３の全てと、副画素Ｒ７及びＢ１それぞれの少ない一部を含む。他の副画素は媒介画素Ｖ２１の外側に位置する。本例において、媒介画素Ｖ２１の重心位置は、副画素Ｇ３の重心位置と一致する。媒介画素Ｖ２１は、副画素Ｇ３以外の副画素に囲まれている。
【００８７】
図１１に示すように、いくつかの副画素に対して、負の重みが割り当てられている。具体的には、副画素Ｇ１、Ｇ８、Ｇ１０及びＧ１１に対して、−１／１６の重みが割り当てられている。他の副画素に対しては、正の重みが割り当てられている。副画素Ｇ３の重みが最も大きい。
【００８８】
図１２は、媒介画素Ｖ２２と、その相対輝度値が割り当てられる副画素とを示す。媒介画素Ｖ２２の相対輝度値は、副画素Ｒ３、Ｒ７、Ｒ８、Ｇ１、Ｇ３、Ｇ４、Ｇ１１、Ｂ１、Ｂ２及びＢ３に割り当てられる。
【００８９】
媒介画素Ｖ２２は、副画素Ｒ３及びＢ３それぞれの大部分を含み、他の副画素は媒介画素Ｖ２２の外側に位置する。本例において、媒介画素Ｖ２２の重心位置は、副画素Ｒ３及びＢ３の重心の間の中央に位置する。媒介画素Ｖ２２は、副画素Ｒ３及びＢ３以外の副画素に囲まれている。
【００９０】
図１２に示すように、いくつかの副画素に対して、負の重みが割り当てられている。具体的には、副画素Ｂ１、Ｂ２、Ｒ７及びＲ８に対して、−１／８の重みが割り当てられている。他の副画素に対しては、正の重みが割り当てられている。副画素Ｒ３及びＢ３の重みが最も大きい。
【００９１】
図１３は、媒介画素Ｖ２３と、その相対輝度値が割り当てられる副画素とを示す。媒介画素Ｖ２３の相対輝度値は、副画素Ｒ３、Ｒ４、Ｒ８、Ｇ１、Ｇ２、Ｇ４、Ｇ１１、Ｇ１２、Ｂ２、Ｂ３及びＢ４に割り当てられる。
【００９２】
媒介画素Ｖ２３は、副画素Ｇ４の全てと、副画素Ｒ８及びＢ２それぞれの少ない一部を含む。他の副画素は媒介画素Ｖ２３の外側に位置する。本例において、媒介画素Ｖ２３の重心位置は、副画素Ｇ４の重心位置と一致する。媒介画素Ｖ２３は、副画素Ｇ４以外の副画素に囲まれている。
【００９３】
図１３に示すように、いくつかの副画素に対して、負の重みが割り当てられている。具体的には、副画素Ｇ１、Ｇ２、Ｇ１１及びＧ１２に対して、−１／１６の重みが割り当てられている。他の副画素に対しては、正の重みが割り当てられている。副画素Ｇ４の重みが最も大きい。
【００９４】
図１４は、媒介画素Ｖ２４と、その相対輝度値が割り当てられる副画素とを示す。媒介画素Ｖ２４の相対輝度値は、副画素Ｒ４、Ｒ８、Ｒ９、Ｇ２、Ｇ４、Ｇ９、Ｇ１２、Ｂ２、Ｂ４及びＢ８に割り当てられる。
【００９５】
媒介画素Ｖ２４は、副画素Ｒ４及びＢ４それぞれの大部分を含み、他の副画素は媒介画素Ｖ２４の外側に位置する。本例において、媒介画素Ｖ２４の重心位置は、副画素Ｒ４及びＢ４の重心の間の中央に位置する。媒介画素Ｖ２４は、副画素Ｒ４及びＢ４以外の副画素に囲まれている。
【００９６】
図１４に示すように、いくつかの副画素に対して、負の重みが割り当てられている。具体的には、副画素Ｂ２、Ｂ８、Ｒ８及びＲ９に対して、−１／８の重みが割り当てられている。他の副画素に対しては、正の重みが割り当てられている。副画素Ｒ４及びＢ４の重みが最も大きい。
【００９７】
図７〜１４を参照した説明から理解されるように、媒介画素と対応する副画素との配置パターンは、２種類に分類される。一方の種類のパターンにおいて、媒介画素は、Ｒ副画素とＢ副画素それぞれの部分を含み、他方のパターンにおいて媒介画素はＧ副画素の全部分を含む。一つの媒介画素に割り当てられている副画素それぞれに与えられる重みは、媒介画素を中心として対称である。
【００９８】
媒介画素が含まれる媒介画素行と重なるパネル画素行に含まれる副画素対して、正の重みが割り当てられている。媒介画素行と重なるパネル画素行は、媒介画素に含まれるＧ副画素並びに媒介画素に大部分が含まれるＲ及びＢ副画素で構成されている。
【００９９】
さらに、媒介画素が含まれる媒介画素列と重なるパネル副画素列に含まれる副画素対して、正の重みが割り当てられている。媒介画素列と重なるパネル副画素列は、媒介画素に含まれるＧ副画素並びに媒介画素に大部分が含まれるＲ及びＢ副画素で構成されている。他の副画素、つまり、各図におけるコーナに配置されている副画素に対して負の重みが割り当てられている。
【０１００】
図７〜１４を参照して説明したように、１つの媒介画素の相対輝度値は、各色の複数の副画素に割り当てられる。１つの媒介画素から３つの色に割り当てられる相対輝度値の重みの合計、つまり、１つの媒介画素に対応するＲ、Ｇ、Ｂの３色の副画素に割り当てられる相対輝度値の重みの合計は、同一である。本例において、その値は１／２である。このように、各媒介画素から副画素に割り当てられる相対輝度の比率が全ての色に同一であることで、映像フレームにより即した色を表示することができる。
【０１０１】
次に、パネル単位領域４５を構成する各副画素が、複数の媒介画素から割り当てられる相対輝度値を説明する。図１５は、パネル単位領域４５（符号は図１５において省略）と、当該パネル単位領域４５に対して相対輝度値が割り当てられる媒介画素とを示す。パネル単位領域４５に対して、対応する媒介単位領域４７（符号は図１５において省略）と、媒介単位領域４７の四方を囲む隣接媒介単位領域の媒介画素とから、相対輝度値が割り当てられる。
【０１０２】
図１６は、副画素Ｒ１と、それに対して相対輝度値が割り当てられる媒介画素とを示す。副画素Ｒ１の一部を含む媒介画素Ｖ０１及びＶ１１、並びに、副画素Ｒ１の外側で媒介画素Ｖ０１又はＶ１１に隣接する媒介画素Ｖ００、Ｖ０２、Ｖ１０及びＶ１２それぞれの赤の相対輝度値が、副画素Ｒ１に割り当てられる。これら媒介画素は、副画素Ｒ１の周囲を囲む。
【０１０３】
より具体的には、これら媒介画素の相対輝度値と割り当てられている重みとの積和が、副画素Ｒ１の相対輝度値である。
Ｌ＿Ｒ１＝（−１／８）Ｌ＿Ｖ００＋（２／８）Ｌ＿Ｖ０１＋（−１／８）Ｌ＿Ｖ０２
＋（１／８）Ｌ＿Ｖ１０＋（６／８）Ｌ＿Ｖ１１＋（１／８）Ｌ＿Ｖ１２
【０１０４】
媒介画素Ｖ０１及びＶ１１は、副画素Ｒ１を含む（重なる）媒介画素列であり、正の重みが割り当てられている。副画素Ｒ１の重心は媒介画素Ｖ１１により近く、媒介画素Ｖ１１の重みが、媒介画素Ｖ０１の重みよりも大きい。媒介画素Ｖ１１を含む媒介画素行の媒介画素Ｖ１０及びＶ１２に対して、正の重みが与えられている。それらの値は同一であり、媒介画素Ｖ１１及びＶ０１の重みよりも小さい。媒介画素Ｖ０１を含む媒介画素行の媒介画素Ｖ００及びＶ０２に対して、同一の負の重みが与えられている。副画素Ｒ１に相対輝度値を与える媒介画素の重みの合計は１である。
【０１０５】
同一媒介画素行に含まれる媒介画素Ｖ００、Ｖ０１及びＶ０２の重みの合計は０である。同一媒介画素行に含まれる媒介画素Ｖ１０、Ｖ１１及びＶ１２の重みの合計は１である。同一媒介画素列に含まれる媒介画素Ｖ００及びＶ１０の重みの合計は０であり、同一媒介画素列に含まれる媒介画素Ｖ０２及びＶ１２の重みの合計は０である。同一媒介画素列に含まれる媒介画素Ｖ０１及びＶ１１の重みの合計は１である。
【０１０６】
図１７は、副画素Ｂ１と、それに対して相対輝度値が割り当てられる媒介画素とを示す。副画素Ｂ１の一部を含む媒介画素Ｖ１１及びＶ２１、並びに、副画素Ｂ１の外側で媒介画素Ｖ１１又はＶ２１に隣接する媒介画素Ｖ１０、Ｖ１２、Ｖ２０及びＶ２２それぞれの青の相対輝度値が、副画素Ｂ１に割り当てられる。これら媒介画素は、副画素Ｂ１の周囲を囲む。
【０１０７】
より具体的には、これら媒介画素の相対輝度値と割り当てられている重みとの積和が、副画素Ｂ１の相対輝度値である。
Ｌ＿Ｂ１＝（１／８）Ｌ＿Ｖ１０＋（６／８）Ｌ＿Ｖ１１＋（１／８）Ｌ＿Ｖ１２
＋（−１／８）Ｌ＿Ｖ２０＋（２／８）Ｌ＿Ｖ２１＋（−１／８）Ｌ＿Ｖ２２
【０１０８】
媒介画素Ｖ１１及びＶ２１は、副画素Ｂ１を含む（重なる）媒介画素列であり、正の重みが割り当てられている。副画素Ｂ１の重心は媒介画素Ｖ１１により近く、媒介画素Ｖ１１の重みが、媒介画素Ｖ２１の重みよりも大きい。媒介画素Ｖ１１を含む媒介画素行の媒介画素Ｖ１０及びＶ１２に対して、正の重みが与えられている。それらの値は同一であり、媒介画素Ｖ２１及びＶ１１の重みよりも小さい。媒介画素Ｖ２１を含む媒介画素行の媒介画素Ｖ２０及びＶ２２に対して、同一の負の重みが与えられている。副画素Ｂ１に相対輝度値を与える媒介画素の重みの合計は１である。
【０１０９】
同一媒介画素行に含まれる媒介画素Ｖ２０、Ｖ２１及びＶ２２の重みの合計は０である。同一媒介画素行に含まれる媒介画素Ｖ１０、Ｖ１１及びＶ１２の重みの合計は１である。同一媒介画素列に含まれる媒介画素Ｖ１０及びＶ２０の重みの合計は０であり、同一媒介画素列に含まれる媒介画素Ｖ１２及びＶ２２の重みの合計は０である。同一媒介画素列に含まれる媒介画素Ｖ１１及びＶ２１の重みの合計は１である。
【０１１０】
図１８は、副画素Ｇ１と、それに対して相対輝度値が割り当てられる媒介画素とを示す。副画素Ｇ１の全部を含む媒介画素Ｖ１２、並びに、副画素Ｇ１の外側で副画素Ｇ１（媒介画素Ｖ１２）を囲む媒介画素Ｖ０１、Ｖ０２、Ｖ０３、Ｖ１１、Ｖ１３、Ｖ２１、Ｖ２２及びＶ２３それぞれの緑の相対輝度値が、副画素Ｇ１に割り当てられる。
【０１１１】
より具体的には、これら媒介画素の相対輝度値と割り当てられている重みとの積和が、副画素Ｇ１の相対輝度値である。
Ｌ＿Ｇ１＝（−１／１６）Ｌ＿Ｖ０１＋（１／１６）Ｌ＿Ｖ０２
＋（−１／１６）Ｌ＿Ｖ０３＋（２／１６）Ｌ＿Ｖ１１
＋（１２／１６）Ｌ＿Ｖ１２＋（２／１６）Ｌ＿Ｖ１３
＋（−１／１６）Ｌ＿Ｖ２１＋（２／１６）Ｌ＿Ｖ２２
＋（−１／１６）Ｌ＿Ｖ２３
【０１１２】
媒介画素Ｖ０２、Ｖ１２及びＶ２２は、副画素Ｇ１を含む（重なる）媒介画素列の媒介画素であり、正の重みが割り当てられている。媒介画素Ｖ１２の重みが、媒介画素Ｖ０２及びＶ２２の重みよりも大きい。媒介画素Ｖ０２及びＶ２２の重みは同一である。
【０１１３】
媒介画素Ｖ１２を含む媒介画素行の媒介画素Ｖ１１及びＶ１３に対して、正の重みが与えられている。それらの値は同一であり、媒介画素Ｖ１２の重みよりも小さい。媒介画素Ｖ１２を含む媒介画素行及び媒介画素列のいずれにも属していない媒介画素Ｖ０１、Ｖ０３、Ｖ２１及びＶ２３に対して、同一の負の重みが与えられている。副画素Ｇ１に相対輝度値を与える媒介画素の重みの合計は１である。
【０１１４】
同一媒介画素行に含まれる媒介画素Ｖ０１、Ｖ０２及びＶ０３の重みの合計は０である。同一媒介画素行に含まれる媒介画素Ｖ１１、Ｖ１２及びＶ１３の重みの合計は１である。同一媒介画素行に含まれる媒介画素Ｖ２１、Ｖ２２及びＶ２３の重みの合計は０である。
【０１１５】
同一媒介画素列に含まれる媒介画素Ｖ０１、Ｖ１１及びＶ２１の重みの合計は０である。同一媒介画素列に含まれる媒介画素Ｖ０２、Ｖ１２及びＶ２２の重みの合計は１である。同一媒介画素列に含まれる媒介画素Ｖ０３、Ｖ１３及びＶ２３の重みの合計は０である。
【０１１６】
図１９は、副画素Ｒ２と、それに対して相対輝度値が割り当てられる媒介画素とを示す。媒介画素Ｖ０２、Ｖ０３、Ｖ０４、Ｖ１２、Ｖ１３及びＶ１４が、副画素Ｒ２と関連付けられている。上記媒介画素と副画素Ｒ２との間の関係は、図１６を参照して説明した。媒介画素Ｖ００、Ｖ０１、Ｖ０２、Ｖ１０、Ｖ１１及びＶ１２と副画素Ｒ１との間の関係と同様である。
【０１１７】
図２０は、副画素Ｂ２と、それに対して相対輝度値が割り当てられる媒介画素とを示す。媒介画素Ｖ１２、Ｖ１３、Ｖ１４、Ｖ２２、Ｖ２３及びＶ２４が、副画素Ｂ２と関連付けられている。上記媒介画素と副画素Ｂ２との間の関係は、図１７を参照して説明した。媒介画素Ｖ１０、Ｖ１１、Ｖ１２、Ｖ２０、Ｖ２１及びＶ２２と副画素Ｂ１との間の関係と同様である。
【０１１８】
図２１は、副画素Ｇ２と、それに対して相対輝度値が割り当てられる媒介画素とを示す。媒介画素Ｖ０３、Ｖ０４、Ｖ０５、Ｖ１３、Ｖ１４、Ｖ１５、Ｖ２３、Ｖ２４及びＶ２５が、副画素Ｇ２と関連付けられている。上記媒介画素と副画素Ｇ２との間の関係は、図１８を参照して説明した。媒介画素Ｖ０１、Ｖ０２、Ｖ０３、Ｖ１１、Ｖ１２、Ｖ１３、Ｖ２１、Ｖ２２及びＶ２３と副画素Ｇ１との間の関係と同様である。
【０１１９】
図２２は、副画素Ｇ３と、それに対して相対輝度値が割り当てられる媒介画素とを示す。媒介画素Ｖ１０、Ｖ１１、Ｖ１２、Ｖ２０、Ｖ２１、Ｖ２２、Ｖ３０、Ｖ３１及びＶ３２が、副画素Ｇ３と関連付けられている。上記媒介画素と副画素Ｇ３との間の関係は、図１８を参照して説明した。媒介画素Ｖ０１、Ｖ０２、Ｖ０３、Ｖ１１、Ｖ１２、Ｖ１３、Ｖ２１、Ｖ２２及びＶ２３と副画素Ｇ１との間の関係と同様である。
【０１２０】
図２３は、副画素Ｒ３と、それに対して相対輝度値が割り当てられる媒介画素とを示す。媒介画素Ｖ１１、Ｖ１２、１３、Ｖ２１、Ｖ２２及びＶ２３が、副画素Ｒ３と関連付けられている。上記媒介画素と副画素Ｒ３との間の関係は、図１６を参照して説明した。媒介画素Ｖ００、Ｖ０１、Ｖ０２、Ｖ１０、Ｖ１１及びＶ１２と副画素Ｒ１との間の関係と同様である。
【０１２１】
図２４は、副画素Ｂ３と、それに対して相対輝度値が割り当てられる媒介画素とを示す。媒介画素Ｖ２１、Ｖ２２、Ｖ２３、Ｖ３１、Ｖ３２及びＶ３３が、副画素Ｂ３と関連付けられている。上記媒介画素と副画素Ｂ３との間の関係は、図１７を参照して説明した。媒介画素Ｖ１０、Ｖ１１、Ｖ１２、Ｖ２０、Ｖ２１及びＶ２２と副画素Ｂ１との間の関係と同様である。
【０１２２】
図２５は、副画素Ｇ４と、それに対して相対輝度値が割り当てられる媒介画素とを示す。媒介画素Ｖ１２、Ｖ１３、Ｖ１４、Ｖ２２、Ｖ２３、Ｖ２４、Ｖ３２、Ｖ３３及びＶ３４が、副画素Ｇ４と関連付けられている。上記媒介画素と副画素Ｇ４との間の関係は、図１８を参照して説明した。媒介画素Ｖ０１、Ｖ０２、Ｖ０３、Ｖ１１、Ｖ１２、Ｖ１３、Ｖ２１、Ｖ２２及びＶ２３と副画素Ｇ１との間の関係と同様である。
【０１２３】
図２６は、副画素Ｒ４と、それに対して相対輝度値が割り当てられる媒介画素とを示す。媒介画素Ｖ１３、Ｖ１４、１５、Ｖ２３、Ｖ２４及びＶ２５が、副画素Ｒ４と関連付けられている。上記媒介画素と副画素Ｒ４との間の関係は、図１６を参照して説明した。媒介画素Ｖ００、Ｖ０１、Ｖ０２、Ｖ１０、Ｖ１１及びＶ１２と副画素Ｒ１との間の関係と同様である。
【０１２４】
図２７は、副画素Ｂ４と、それに対して相対輝度値が割り当てられる媒介画素とを示す。媒介画素Ｖ２３、Ｖ２４、Ｖ２５、Ｖ３３、Ｖ３４及びＶ３５が、副画素Ｂ３と関連付けられている。上記媒介画素と副画素Ｂ３との間の関係は、図１７を参照して説明した。媒介画素Ｖ１０、Ｖ１１、Ｖ１２、Ｖ２０、Ｖ２１及びＶ２２と副画素Ｂ１との間の関係と同様である。
【０１２５】
上述のように、赤又は青の副画素は、の相対輝度値を決定する複数の媒介画素は、副画素に最も近い媒介画素と、副画素に最も近い媒介画素のＸ軸に沿った両隣の媒介画素と、前記第２の軸に沿って副画素に２番目に近い媒介画素と、当該副画素に２番目に近い媒介画素のＸ軸に沿った両隣の媒介画素と、で構成されている。
【０１２６】
緑の副画素の相対輝度値を決定する複数の媒介画素は、副画素に最も近い媒介画素と、副画素に最も近い媒介画素のＸ軸に沿った両隣の媒介画素と、副画素に最も近い媒介画素と上方向において隣接する媒介画素と、当該上方向において隣接する媒介画素のＸ軸に沿った両隣の媒介画素と、副画素に最も近い媒介画素に下方向において隣接する媒介画素と、当該下方向において隣接する媒介画素のＸ軸に沿った両隣の媒介画素と、で構成されている。
【０１２７】
図１６〜２７を参照して説明したように、副画素に相対輝度値を与える媒介画素において、当該副画素の最も多くの領域を含む１媒介画素行及び１媒介画素列のみが、正の重みを有する媒介画素のみで構成されている。行方向に延びる線及び列方向に延びる線の視認される幅を小さくし、文字のように線で描かれる図形を高精細に表示することができる。さらに、負の重み有する媒介画素を含む媒介画素行及び媒介画素列の重みの合計は０である。これにより、線をより高精細に表示することができる。
【０１２８】
上述のように、各副画素に相対輝度値を与える媒介画素の重みの合計は１である。副画素に相対輝度値を与える媒介画素の重みの合計が同一であることで、映像フレームに沿った色の映像を表示することができる。また、重み（比率）の合計が１であることで、副画素のダイナミックレンジ（最大輝度値と最小輝度値との差）を最大に利用できる。なお、重みの合計は１未満の値であってもよい。
【０１２９】
次に、パネル単位領域４５を構成する各副画素が、複数のフレーム画素から割り当てられる相対輝度値を説明する。図２８は、副画素Ｒ１と、それに対して相対輝度値が割り当てられるフレーム画素とを示す。副画素Ｒ１の一部を含むフレーム画素Ｐ０１及びＰ１１、並びに、副画素Ｒ１の外側でフレーム画素Ｐ０１又はＰ１１に隣接するフレーム画素Ｐ００、Ｐ０２、Ｐ１０及びＰ１２それぞれの赤の相対輝度値が、副画素Ｒ１に割り当てられる。これらフレーム画素は、副画素Ｒ１の周囲を囲む。
【０１３０】
これらフレーム画素の相対輝度値と割り当てられている重みとの積和が、副画素Ｒ１の相対輝度値である。
Ｌ＿Ｒ１＝（−４／３２）Ｌ＿Ｐ００＋（７／３２）Ｌ＿Ｐ０１
＋（−３／３２）Ｌ＿Ｐ０２＋（４／３２）Ｌ＿Ｐ１０
＋（２５／３２）Ｌ＿Ｐ１１＋（３／３２）Ｌ＿Ｐ１２
【０１３１】
フレーム画素Ｐ０１及びＰ１１からなるフレーム画素列は、副画素Ｒ１の全部を含み（副画素Ｒ１の全てがフレーム画素列に重なり）、フレーム画素Ｐ０１及びＰ１１に正の重みが割り当てられている。副画素Ｒ１の重心はフレーム画素Ｐ１１により近く、フレーム画素Ｐ１１の重みが、フレーム画素Ｐ０１の重みよりも大きい。フレーム画素Ｐ０１及びＰ１１の重みの合計は１である。
【０１３２】
フレーム画素Ｐ１１を含むフレーム画素行のフレーム画素Ｐ１０及びＰ１２に対して、正の重みが与えられている。それらの値は、フレーム画素Ｐ１１及びＰ０１の重みよりも小さい。フレーム画素Ｐ１０、Ｐ１１及びＰ１２の重みの合計は１である。
【０１３３】
フレーム画素Ｐ００及びＰ１０からなる画素列は、副画素Ｒ１と全く重ならない。フレーム画素Ｐ００に対して負の重みが割り当てられている。フレーム画素Ｐ００及びＰ１０の重みの合計は０である。
【０１３４】
フレーム画素Ｐ０２及びＰ１２からなる画素列は、副画素Ｒ１と全く重ならない。フレーム画素Ｐ０２に対して負の重みが割り当てられている。フレーム画素Ｐ０２及びＰ１２の重みの合計は０である。
【０１３５】
フレーム画素Ｐ００、Ｐ０１及びＰ０２からなる画素行は、副画素Ｒ１の一部を含む（部分的に重なる）が、その面積は他方の画素行よりも少ない。フレーム画素Ｐ００、Ｐ０１及びＰ０２の重みの合計は０である。副画素Ｒ１に相対輝度値を与える全てのフレーム画素の重みも合計は１である。
【０１３６】
図２９は、副画素Ｂ１と、それに対して相対輝度値が割り当てられるフレーム画素とを示す。副画素Ｂ１の一部を含むフレーム画素Ｐ１１及びＰ２１、並びに、副画素Ｂ１の外側でフレーム画素Ｐ１１又はＰ２１に隣接するフレーム画素Ｐ１０、Ｐ１２、Ｐ２０及びＰ２２それぞれの青の相対輝度値が、副画素Ｂ１に割り当てられる。これらフレーム画素は、副画素Ｂ１の周囲を囲む。
【０１３７】
これらフレーム画素の相対輝度値と割り当てられている重みとの積和が、副画素Ｂ１の相対輝度値である。
Ｌ＿Ｂ１＝（４／３２）Ｌ＿Ｐ１０＋（２５／３２）Ｌ＿Ｐ１１
＋（３／３２）Ｌ＿Ｐ１２＋（−４／３２）Ｌ＿Ｐ２０
＋（７／３２）Ｌ＿Ｐ２１＋（−３／３２）Ｌ＿Ｐ２２
【０１３８】
フレーム画素Ｐ１１及びＰ２１からなるフレーム画素列は、副画素Ｂ１の全部を含み、フレーム画素Ｐ１１及びＰ２１に正の重みが割り当てられている。副画素Ｂ１の重心はフレーム画素Ｐ１１により近く、フレーム画素Ｐ１１の重みが、フレーム画素Ｐ２１の重みよりも大きい。フレーム画素Ｐ１１及びＰ２１の重みの合計は１である。
【０１３９】
フレーム画素Ｐ１１を含むフレーム画素行のフレーム画素Ｐ１０及びＰ１２に対して、正の重みが与えられている。それらの値は、フレーム画素Ｐ１１及びＰ０１の重みよりも小さい。フレーム画素Ｐ１０、Ｐ１１及びＰ１２の重みの合計は１である。
【０１４０】
フレーム画素Ｐ１０及びＰ２０からなる画素列は、副画素Ｂ１と全く重ならない。フレーム画素Ｐ２０に対して負の重みが割り当てられている。フレーム画素Ｐ１０及びＰ２０の重みの合計は０である。
【０１４１】
フレーム画素Ｐ１２及びＰ２２からなる画素列は、副画素Ｂ１と全く重ならない。フレーム画素Ｐ２２に対して負の重みが割り当てられている。フレーム画素Ｐ１２及びＰ２２の重みの合計は０である。
【０１４２】
フレーム画素Ｐ２０、Ｐ２１及びＰ２２からなる画素行は、副画素Ｂ１の一部を含む（部分的に重なる）が、その面積は他方の画素行よりも少ない。フレーム画素Ｐ２０、Ｐ２１及びＰ２２の重みの合計は０である。副画素Ｂ１に相対輝度値を与える全てのフレーム画素の重みも合計は１である。
【０１４３】
図３０は、副画素Ｇ１と、それに対して相対輝度値が割り当てられるフレーム画素とを示す。副画素Ｇ１の一部をそれぞれ含むフレーム画素Ｐ１０及びＰ１１、並びに、副画素Ｇ１の外側に配置されているフレーム画素Ｐ００、Ｐ０１、Ｐ０２、Ｐ１２、Ｐ２０、Ｐ２１及びＰ２２それぞれの緑の相対輝度値が、副画素Ｇ１に割り当てられる。フレーム画素Ｐ１１は副画素Ｇ１の最も多くの部分を含み、他のフレーム画素はフレーム画素Ｐ１１を囲む。
【０１４４】
これらフレーム画素の相対輝度値と割り当てられている重みとの積和が、副画素Ｇ１の相対輝度値である。
Ｌ＿Ｇ１＝（−２／６４）Ｌ＿Ｐ００＋（３／６４）Ｌ＿Ｐ０１
＋（−１／６４）Ｌ＿Ｐ０２＋（２０／６４）Ｌ＿Ｐ１０
＋（４２／６４）Ｌ＿Ｐ１１＋（２／６４）Ｌ＿Ｐ１２
＋（−２／６４）Ｌ＿Ｐ２０＋（３／６４）Ｌ＿Ｐ２１
＋（−１／６４）Ｌ＿Ｐ２２
【０１４５】
フレーム画素Ｐ１０及びＰ１１は、それぞれ副画素Ｇ１の一部を含む（部分的に重なる）。フレーム画素Ｐ１１が含む副画素Ｇ１の面積は、フレーム画素Ｐ１０よりも大きい。つまり、フレーム画素Ｐ１０が含む副画素Ｇ１の面積が最も大きい。
【０１４６】
フレーム画素Ｐ０１、Ｐ１１及びＰ２１からなる画素列は、副画素Ｇ１の一部を含む。フレーム画素Ｐ０１、Ｐ１１及びＰ２１それぞれに、正の重みが与えられている。フレーム画素Ｐ００、Ｐ１０及びＰ２０からなる画素列は、副画素Ｇ１の一部を含むが、その面積は、フレーム画素Ｐ０１、Ｐ１１及びＰ２１からなる画素列よりも小さい、フレーム画素Ｐ１０に正の重みが与えられ、フレーム画素Ｐ００及びＰ２０それぞれに、負の重みが与えられている。
【０１４７】
フレーム画素Ｐ０１、Ｐ１１及びＰ２１の重みの合計は正である。フレーム画素Ｐ０１、Ｐ１１及びＰ２１の重みの合計は正であり、その値はフレーム画素Ｐ００、Ｐ１０及びＰ２０の重みの合計よりも大きい。フレーム画素Ｐ１１の重みは、フレーム画素Ｐ１０の重みより大きい。これら２列のフレーム画素の重みの合計は１である。
【０１４８】
フレーム画素Ｐ１０、Ｐ１１及びＰ１２からなる画素行は、副画素Ｇ１の全部を含む。フレーム画素Ｐ１２に、正の重みが与えられており、その値はフレーム画素Ｐ１０よりも小さい。フレーム画素Ｐ１０、Ｐ１１及びＰ１２の重みの合計は１である。
【０１４９】
フレーム画素Ｐ００、Ｐ０１及びＰ０２からなる画素行は、副画素Ｇ１と全く重ならない。フレーム画素Ｐ００、Ｐ０１及びＰ０２の重みの合計は０である。フレーム画素Ｐ２０、Ｐ２１及びＰ２２からなる画素行は、副画素Ｇ１と全く重ならない。フレーム画素Ｐ２０、Ｐ２１及びＰ２２の重みの合計は０である。全フレーム画素の重みの合計は１である。
【０１５０】
図３１は、副画素Ｒ２と、それに対して相対輝度値が割り当てられるフレーム画素とを示す。副画素Ｒ２の一部を含むフレーム画素Ｐ０２、Ｐ０３、Ｐ１２及びＰ１３、並びに、副画素Ｒ２の外側でフレーム画素Ｐ１２又はＰ２２に隣接するフレーム画素Ｐ１１及びＰ２１それぞれの赤の相対輝度値が、副画素Ｒ２に割り当てられる。これらフレーム画素は、副画素Ｒ２の周囲を囲む。フレーム画素Ｐ１２が含む副画素Ｒ２の面積が一番大きい、つまり、フレーム画素Ｐ１２の重心と副画素Ｒ２の重心との距離が最も小さい。
【０１５１】
これらフレーム画素の相対輝度値と割り当てられている重みとの積和が、副画素Ｒ２の相対輝度値である。
Ｌ＿Ｒ２＝（−１／３２）Ｌ＿Ｐ０１＋（３／３２）Ｌ＿Ｐ０２
＋（−２／３２）Ｌ＿Ｐ０３＋（１／３２）Ｌ＿Ｐ１１
＋（２１／３２）Ｌ＿Ｐ１２＋（１０／３２）Ｌ＿Ｐ１３
【０１５２】
フレーム画素Ｐ０２及びＰ１２からなるフレーム画素列は、副画素Ｒ２の一部を含み（部分的に重なり）、フレーム画素Ｐ０２及びＰ１２に正の重みが割り当てられている。副画素Ｒ２の重心はフレーム画素Ｐ１２により近く、フレーム画素Ｐ１２の重みが、フレーム画素Ｐ０２の重みよりも大きい。
【０１５３】
フレーム画素Ｐ０３及びＰ１３からなるフレーム画素列は、副画素Ｒ２の一部を含む（部分的に重なる）が、その面積は、フレーム画素Ｐ０２及びＰ１２からなるフレーム画素列よりも小さい。フレーム画素Ｐ０３に負の重みが与えられ、フレーム画素Ｐ１３に正の重みが与えられている。
【０１５４】
フレーム画素Ｐ０２及びＰ１２の重みの合計は正である。フレーム画素Ｐ０３及びＰ１３の重みの合計は正であり、その値はフレーム画素Ｐ０２及びＰ１２の重みの合計よりも小さい。フレーム画素Ｐ０２及びＰ１２並びにＰ０３及びＰ１３の重みの合計は１である。
【０１５５】
フレーム画素Ｐ１２を含むフレーム画素行のフレーム画素Ｐ１１及びＰ１３に対して、正の重みが与えられている。それらの値は、フレーム画素Ｐ１２の重みよりも小さい。フレーム画素Ｐ１３の重みは、フレーム画素Ｐ１１の重みより大きい。フレーム画素Ｐ１１、Ｐ１２及びＰ１３の重みの合計は１である。
【０１５６】
フレーム画素Ｐ０１及びＰ１１からなる画素列は、副画素Ｒ２と全く重ならない。フレーム画素Ｐ０１に対して負の重みが割り当てられている。フレーム画素Ｐ０１及びＰ１１の重みの合計は０である。
【０１５７】
フレーム画素Ｐ０１、Ｐ０２及びＰ０３からなる画素行は、副画素Ｒ２の一部を含む（部分的に重なる）が、その面積は他方の画素行よりも小さい。フレーム画素Ｐ０１、Ｐ０２及びＰ０３の重みの合計は０である。副画素Ｒ２に相対輝度値を与える全てのフレーム画素の重みも合計は１である。
【０１５８】
図３２は、副画素Ｂ２と、それに対して相対輝度値が割り当てられるフレーム画素とを示す。副画素Ｂ２の一部を含むフレーム画素Ｐ１２、Ｐ１３、Ｐ２２及びＰ２３、並びに、副画素Ｂ２の外側でフレーム画素Ｐ１２又はＰ２２に隣接するフレーム画素Ｐ１１及びＰ２１それぞれの青の相対輝度値が、副画素Ｂ２に割り当てられる。これらフレーム画素は、副画素Ｂ２の周囲を囲む。フレーム画素Ｐ１２が含む副画素Ｂ２の面積が一番大きい、つまり、フレーム画素Ｐ１２の重心と副画素Ｂ２の重心との距離が最も小さい。
【０１５９】
これらフレーム画素の相対輝度値と割り当てられている重みとの積和が、副画素Ｒ２の相対輝度値である。
Ｌ＿Ｂ２＝（１／３２）Ｌ＿Ｐ１１＋（２１／３２）Ｌ＿Ｐ１２
＋（１０／３２）Ｌ＿Ｐ１３＋（−１／３２）Ｌ＿Ｐ２１
＋（３／３２）Ｌ＿Ｐ２２＋（−２／３２）Ｌ＿Ｐ２３
【０１６０】
フレーム画素Ｐ１２及びＰ２２からなるフレーム画素列は、副画素Ｂ２の一部を含み（部分的に重なり）、フレーム画素Ｐ１２及びＰ２２に正の重みが割り当てられている。副画素Ｂ２の重心はフレーム画素Ｐ１２により近く、フレーム画素Ｐ１２の重みが、フレーム画素Ｐ２２の重みよりも大きい。
【０１６１】
フレーム画素Ｐ１３及びＰ２３からなるフレーム画素列は、副画素Ｂ２の一部を含む（部分的に重なる）が、その面積は、フレーム画素Ｐ１２及びＰ２２からなるフレーム画素列よりも小さい。フレーム画素Ｐ２３に負の重みが与えられ、フレーム画素Ｐ１３に正の重みが与えられている。
【０１６２】
フレーム画素Ｐ１２及びＰ２２の重みの合計は正である。フレーム画素Ｐ１３及びＰ２３の重みの合計は正であり、その値はフレーム画素Ｐ１２及びＰ２２の重みの合計よりも小さい。フレーム画素Ｐ１２及びＰ２２並びにＰ１３及びＰ２３の重みの合計は１である。
【０１６３】
フレーム画素Ｐ１２を含むフレーム画素行のフレーム画素Ｐ１１及びＰ１３に対して、正の重みが与えられている。それらの値は、フレーム画素Ｐ１２の重みよりも小さい。フレーム画素Ｐ１３の重みは、フレーム画素Ｐ１１の重みより大きい。フレーム画素Ｐ１１、Ｐ１２及びＰ１３の重みの合計は１である。
【０１６４】
フレーム画素Ｐ１１及びＰ２１からなる画素列は、副画素Ｂ２と全く重ならない。フレーム画素Ｐ２１に対して負の重みが割り当てられている。フレーム画素Ｐ１１及びＰ２１の重みの合計は０である。
【０１６５】
フレーム画素Ｐ２１、Ｐ２２及びＰ２３からなる画素行は、副画素Ｒ２の一部を含む（部分的に重なる）が、その面積は他方の画素行よりも小さい。フレーム画素Ｐ２１、Ｐ２２及びＰ２３の重みの合計は０である。副画素Ｂ２に相対輝度値を与える全てのフレーム画素の重みも合計は１である。
【０１６６】
図３３は、副画素Ｇ２と、それに対して相対輝度値が割り当てられるフレーム画素とを示す。副画素Ｇ２の全部含むフレーム画素Ｐ１３、及び、フレーム画素Ｐ１３を囲むフレーム画素Ｐ０２、Ｐ０３、Ｐ０４、Ｐ１２、Ｐ１４、Ｐ２２、Ｐ２３及びＰ２４それぞれの緑の相対輝度値が、副画素Ｇ２に割り当てられる。
【０１６７】
これらフレーム画素の相対輝度値と割り当てられている重みとの積和が、副画素Ｇ２の相対輝度値である。
Ｌ＿Ｇ２＝（−３／６４）Ｌ＿Ｐ０２＋（７／６４）Ｌ＿Ｐ０３
＋（−４／６４）Ｌ＿Ｐ０４＋（６／６４）Ｌ＿Ｐ１２
＋（５０／６４）Ｌ＿Ｐ１３＋（８／６４）Ｌ＿Ｐ１４
＋（−３／６４）Ｌ＿Ｐ２２＋（７／６４）Ｌ＿Ｐ２３
＋（−４／６４）Ｌ＿Ｐ２４
【０１６８】
フレーム画素Ｐ０３、Ｐ１３及びＰ２３からなる画素列は、副画素Ｇ２の全部を含む。フレーム画素Ｐ０３、Ｐ１３及びＰ２３それぞれに、正の重みが与えられている。フレーム画素Ｐ１３の重みが最も大きい。フレーム画素Ｐ０３、Ｐ１３及びＰ２３の重みの合計は１である。
【０１６９】
フレーム画素Ｐ１２、Ｐ１３及びＰ１４からなる画素行は、副画素Ｇ２の全部を含む。フレーム画素Ｐ１２及びＰ１４に、正の重みが与えられており、それら値はフレーム画素Ｐ１３よりも小さい。副画素Ｇ２の重心は、フレーム画素Ｐ１２よりもフレーム画素Ｐ１４に近く、フレーム画素Ｐ１４の重みは、フレーム画素Ｐ１２の重みよりも大きい。フレーム画素Ｐ１２、Ｐ１３及びＰ１４の重みの合計は１である。
【０１７０】
フレーム画素Ｐ０２、Ｐ１２及びＰ２２からなるフレーム画素列は、副画素Ｇ２と全く重ならない。フレーム画素Ｐ０２及びＰ２２に負の重みが与えられている。フレーム画素Ｐ０２、Ｐ１２及びＰ２２の重みの合計は０である。フレーム画素Ｐ０４、Ｐ１４及びＰ２４からなるフレーム画素列は、副画素Ｇ２と全く重ならない。フレーム画素Ｐ０４及びＰ２４に負の重みが与えられている。フレーム画素Ｐ０４、Ｐ１４及びＰ２４の重みの合計は０である。
【０１７１】
フレーム画素Ｐ０２、Ｐ０３及びＰ０４からなるフレーム画素行は、副画素Ｇ２と全く重ならない。フレーム画素Ｐ０２、Ｐ０３及びＰ０４の重みの合計は０である。フレーム画素Ｐ２２、Ｐ２３及びＰ２４からなる画素行は、副画素Ｇ２と全く重ならない。フレーム画素Ｐ２２、Ｐ２３及びＰ２４の重みの合計は０である。全フレーム画素の重みの合計は１である。
【０１７２】
図３４は、副画素Ｇ３と、それに対して相対輝度値が割り当てられるフレーム画素とを示す。副画素Ｇ３の全部含むフレーム画素Ｐ２１、及び、フレーム画素Ｐ２１を囲むフレーム画素Ｐ１０、Ｐ１１、Ｐ１２、Ｐ２０、Ｐ２２、Ｐ３０、Ｐ３１、及びＰ３２それぞれの緑の相対輝度値が、副画素Ｇ３に割り当てられる。
【０１７３】
フレーム画素Ｐ１０、Ｐ１１、Ｐ１２、Ｐ２０、Ｐ２１、Ｐ２２、Ｐ３０、Ｐ３１、及びＰ３２の相対輝度値との関係（重みパターン）は、副画素Ｇ２の相対輝度値とフレーム画素Ｐ０４、Ｐ０３、Ｐ０２、Ｐ１４、Ｐ１３、Ｐ１２、Ｐ２４、Ｐ２３及びＰ２２の相対輝度値の関係（重みパターン）と同様である。
【０１７４】
図３５は、副画素Ｒ３と、それに対して相対輝度値が割り当てられるフレーム画素とを示す。副画素Ｒ３の一部を含むフレーム画素Ｐ１１、Ｐ１２、Ｐ２１及びＰ２２、並びに、副画素Ｒ３の外側でフレーム画素Ｐ１２又はＰ２２に隣接するフレーム画素Ｐ１３及びＰ２３それぞれの赤の相対輝度値が、副画素Ｒ２に割り当てられる。これらフレーム画素は、副画素Ｒ２の周囲を囲む。フレーム画素Ｐ２２が含む副画素Ｒ３の面積が一番大きい、つまり、フレーム画素Ｐ２２の重心と副画素Ｒ３の重心との距離が最も小さい。
【０１７５】
副画素Ｒ３の相対輝度値とフレーム画素Ｐ１１、Ｐ１２、Ｐ１３、Ｐ２１、Ｐ２２及びＰ２３の相対輝度値との関係（重みパターン）は、副画素Ｒ２の相対輝度値とフレーム画素Ｐ０３、Ｐ０２、Ｐ０１、Ｐ１３、Ｐ１２及びＰ１１の相対輝度値との関係（重みパターン）と同様である。
【０１７６】
図３６は、副画素Ｂ３と、それに対して相対輝度値が割り当てられるフレーム画素とを示す。副画素Ｂ３の一部を含むフレーム画素Ｐ２１、Ｐ２２、Ｐ３１及びＰ３２、並びに、副画素Ｂ２の外側でフレーム画素Ｐ２２又はＰ３２に隣接するフレーム画素Ｐ２３及びＰ３３それぞれの青の相対輝度値が、副画素Ｂ３に割り当てられる。これらフレーム画素は、副画素Ｂ３の周囲を囲む。フレーム画素Ｐ２２が含む副画素Ｂ３の面積が一番大きい、つまり、フレーム画素Ｐ２２の重心と副画素Ｂ３の重心との距離が最も小さい。
【０１７７】
副画素Ｂ３の相対輝度値とフレーム画素Ｐ２１、Ｐ２２、Ｐ２３、Ｐ３１、Ｐ３２及びＰ３３の相対輝度値との関係（重みパターン）は、副画素Ｂ２の相対輝度値とフレーム画素Ｐ１３、Ｐ１２、Ｐ１１、Ｐ２３、Ｐ２２及びＰ２１の相対輝度値との関係（重みパターン）と同様である。
【０１７８】
図３７は、副画素Ｇ４と、それに対して相対輝度値が割り当てられるフレーム画素とを示す。副画素Ｇ４の一部をそれぞれ含むフレーム画素Ｐ２２及びＰ２３、並びに、副画素Ｇ４の外側に配置されているフレーム画素Ｐ１１、Ｐ１２、Ｐ１３、Ｐ２１、Ｐ３１、Ｐ３２及びＰ３３それぞれの緑の相対輝度値が、副画素Ｇ４に割り当てられる。フレーム画素Ｐ２２は副画素Ｇ４の最も多くの部分を含み、他のフレーム画素はフレーム画素Ｐ２２を囲む。
【０１７９】
副画素Ｇ４の相対輝度値とＰ１１、Ｐ１２、Ｐ１３、Ｐ２１、Ｐ２２、Ｐ２３、Ｐ３１、Ｐ３２及びＰ３３の相対輝度値との関係（重みパターン）は、副画素Ｇ１の相対輝度値とフレーム画素Ｐ０２、Ｐ０１、Ｐ００、Ｐ１２、Ｐ１１、Ｐ１０、Ｐ２２、Ｐ２１及びＰ２０の相対輝度値との関係（重みパターン）と同様である。
【０１８０】
図３８は、副画素Ｒ４と、それに対して相対輝度値が割り当てられるフレーム画素とを示す。副画素Ｒ４の一部を含むフレーム画素Ｐ１３及びＰ２３、並びに、副画素Ｒ１の外側でフレーム画素Ｐ１３又はＰ２３に隣接するフレーム画素Ｐ１２、Ｐ１４、Ｐ２２及びＰ２４それぞれの赤の相対輝度値が、副画素Ｒ１に割り当てられる。これらフレーム画素は、副画素Ｒ４の周囲を囲む。
【０１８１】
副画素Ｒ４の相対輝度値とフレーム画素Ｐ１２、１３、Ｐ１４、Ｐ２２、Ｐ２３及びＰ２４の相対輝度値との関係（重みパターン）は、副画素Ｒ１の相対輝度値とフレーム画素Ｐ０２、Ｐ０１、Ｐ００、Ｐ１２、Ｐ１１及びＰ１０の相対輝度値との関係（重みパターン）と同様である。
【０１８２】
図３９は、副画素Ｂ４と、それに対して相対輝度値が割り当てられるフレーム画素とを示す。副画素Ｂ４の一部を含むフレーム画素Ｐ２３及びＰ３３、並びに、副画素Ｂ４の外側でフレーム画素Ｐ２３又はＰ３３に隣接するフレーム画素Ｐ２２、Ｐ２４、Ｐ３２及びＰ３４それぞれの青の相対輝度値が、副画素Ｂ４に割り当てられる。これらフレーム画素は、副画素Ｂ４の周囲を囲む。
【０１８３】
副画素Ｂ４の相対輝度値とフレーム画素Ｐ２２、Ｐ２３、Ｐ２４、Ｐ３２、Ｐ３３及びＰ３４の相対輝度値との関係（重みパターン）は、副画素Ｂ１の相対輝度値とフレーム画素Ｐ１２、Ｐ１１、Ｐ１０、Ｐ２２、Ｐ２１及びＰ２０の相対輝度値との関係（重みパターン）と同様である。
【０１８４】
図２８〜３９を参照して説明したように、赤又は青の副画素の相対輝度値を決定するフレーム画素は、副画素に最も近いフレーム画素と、最も近いフレーム画素のＸ軸に沿った両隣のフレーム画素と、Ｙ軸に沿って副画素に２番目に近いフレーム画素と、副画素に２番目に近いフレーム画素のＸ軸に沿った両隣のフレーム画素と、で構成されている。
【０１８５】
緑の副画素の相対輝度値を決定するフレーム画素は、副画素に最も近いフレーム画素と、副画素に最も近いフレーム画素のＸ軸に沿った両隣のフレーム画素と、副画素に最も近いフレーム画素と上方向において隣接するフレーム画素と、上方向において隣接するフレーム画素のＸ軸に沿った両隣のフレーム画素と、副画素に最も近いフレーム画素と下方向において隣接するフレーム画素と、当該下方向において隣接するフレーム画素のＸ軸に沿った両隣のフレーム画素と、で構成されている。
【０１８６】
図２８〜３９を参照して説明したように、副画素に相対輝度値を与えるフレーム画素において、当該副画素に最も近いフレーム画素を含む１フレーム画素行及び１フレーム画素列のみが、正の重みを有するフレーム画素のみで構成されている。行方向に延びる線及び列方向に延びる線の視認される幅を小さくし、文字のように線で描かれる図形を高精細に表示することができる。
【０１８７】
さらに、副画素に相対輝度値を与えるフレーム画素において、一つのフレーム画素行を除く全ての画素行が負の重みを有するフレーム画素を含み、その重みの合計は０である。副画素に相対輝度値を与えるフレーム画素において、副画素を全く含まない（重ならない）フレーム画素列は、負の重みを有するフレーム画素を含み、その重みの合計は０である。これにより、線をより高精細に表示するこができる。
【０１８８】
副画素の一部を含むが、その含まれる副画素の面積が当該副画素の残りの部分を含むフレーム画素列よりも小さいフレーム画素列は、負の重みを有するフレーム画素を含む。また、その重みの合計は、副画素のより多くの面積を含むフレーム画素列の重みの合計よりも小さい。これにより、線を高精細に表示すると共に、面状の画像をより自然に表示することができる。
【０１８９】
上述のように、各副画素に割り当てられるフレーム画素の相対輝度値の重みの合計は同一であり、具体的には、１である。全ての副画素の重みの合計が同一であるので、映像フレームにより即した色を表示することができる。また、副画素の相対輝度値の重みの合計が１であるので、副画素のダイナミックレンジ（最大輝度値と最小輝度値との差）を最大に利用できる。
【０１９０】
なお、各副画素の相対輝度値の比率の合計は１未満であってもよい。設計上許容される範囲で、副画素の相対輝度値の比率の合計が異なっていてもよい。フレーム画素から副画素に割り当てられる相対輝度の比率が色毎に異なっていてもよい。副画素の相対輝度値は、フレーム画素の相対輝度値とそれらの重みの演算であって、積和と異なる演算により決定されてもよい。これらの点は他の実施形態において同様である。
【０１９１】
ドライバＩＣ１３４の相対輝度変換部３４２は、図２８〜３９を参照して説明した重みを使用して、各パネル副画素の相対輝度値を、対応するフレーム画素の相対輝度値から決定することができる。パネル単位領域の各副画素の相対輝度値は、対応するフレーム画素の相対輝度値と重みとの積和である。つまり、対応するフレーム画素の相対輝度値の所定比率の和である。
【０１９２】
ドライバＩＣ１３４は、フレーム画素の相対輝度値から媒介画素の相対輝度値を計算し、図１６〜２７を参照して説明したように、媒介画素の相対輝度値からパネル副画素の相対輝度値を決定してもよい。これら二つの計算方法の結果は同一である。
【０１９３】
［パネル配線］
図４０は、パネル単位領域４５における、副画素（アノード電極）と配線との接続関係を模式的に示す。図４０において、副画素と重なる円を通過する走査線及びデータ線が、当該副画素に対応する画素回路を介して接続され、当該副画素を制御する。
【０１９４】
フレーム単位領域４１の一つの画素行から相対輝度値が割り当てられる全ての副画素は、同一の走査線に接続されている。具体的には、パネル副画素Ｒ１、Ｂ１、Ｇ１、Ｒ２、Ｂ２、及びＧ２は、走査線Ｓ２ｍに接続されている。パネル副画素Ｒ３、Ｂ３、Ｇ３、Ｒ４、Ｂ４、及びＧ４は、走査線Ｓ２ｍ＋１に接続されている。
【０１９５】
パネル副画素Ｒ１、Ｂ１、Ｇ１、Ｒ２、Ｂ２、及びＧ２に対して、映像フレームにおける２ｍ番のフレーム画素行のみから、相対輝度値が割り当てられる。パネル副画素Ｒ３、Ｂ３、Ｇ３、Ｒ４、Ｂ４、及びＧ４に対して、映像フレームにおける２ｍ＋１番のフレーム画素行のみから、相対輝度値が割り当てられる。
【０１９６】
表示領域１２５において、一つのフレーム画素行に対応する全てのパネル副画素が、同一の走査線に接続されている。パネル副画素の相対輝度値は、一つのフレーム画素行内のフレーム画素の相対輝度値のみから決定され、他のフレーム画素行の相対輝度値は参照されない。したがって、副画素にデータ信号から与える信号を計算するために、他のフレーム画素行の相対輝度値を格納するラインメモリが不要である。
【０１９７】
図４０の例において、一つの走査線に接続されている副画素は、異なるデータ線に接続されている。具体的には、パネル副画素Ｒ１及びＧ３は、データ線Ｄ６ｎに接続されている。パネル副画素Ｂ１及びＢ３は、データ線Ｄ６ｎ＋１に接続されている。パネル副画素Ｇ１及びＲ３は、データ線Ｄ６ｎ＋２に接続されている。パネル副画素Ｒ２及びＧ４は、データ線Ｄ６ｎ＋３に接続されている。パネル副画素Ｂ２及びＢ４は、データ線Ｄ６ｎ＋４に接続されている。パネル副画素Ｇ２及びＲ４は、データ線Ｄ６ｎ＋５に接続されている。
【０１９８】
図４０が示す副画素と配線との接続関係は一例であって、他の接続も可能である。例えば、一つの走査線に接続されている複数の副画素が、一つのデータ線に接続されていてもよい。
【０１９９】
本実施形態によれば、シンプルな演算（回路構成）によって、異なる画素数の映像フレームと表示パネルとの間で、表示画質の低下を抑えるように、フレーム画素の相対輝度値をパネル副画素の相対輝度値に変換することができる。
【０２００】
＜実施形態２＞
以下において、実施形態２を説明する。主に実施形態１との相違点を説明する。フレーム画素の相対輝度値と媒介画素の相対輝度値の関係の他の例を説明する。上記例は、線形補完を使用して媒介画素の相対輝度値がフレーム画素の相対輝度値から決定される。以下に説明する例は、最近傍法（ｎｅａｒｅｓｔ  ｎｅｉｇｈｂｏｒ  ａｌｇｏｒｉｔｈｍ）を使用して、媒介画素の相対輝度値がフレーム画素の相対輝度値から決定する。最近傍法は、媒介画素に対して、当該媒介画素に最も近いフレーム画素の相対輝度値を与える。具体的には、図４に示す媒介画素とフレーム画素の位置関係において、以下の関係が成立する。
【０２０１】
Ｌ＿Ｖ１１＝Ｌ＿Ｐ１１
Ｌ＿Ｖ１２＝Ｌ＿Ｐ１２
Ｌ＿Ｖ１３＝Ｌ＿Ｐ１２
Ｌ＿Ｖ１４＝Ｌ＿Ｐ１３
Ｌ＿Ｖ２１＝Ｌ＿Ｐ２１
Ｌ＿Ｖ２２＝Ｌ＿Ｐ２２
Ｌ＿Ｖ２３＝Ｌ＿Ｐ２２
Ｌ＿Ｖ２４＝Ｌ＿Ｐ２３
【０２０２】
次に、フレーム画素の相対輝度値と媒介画素の相対輝度値が上記関係を有する場合の、フレーム画素の相対輝度値とパネル副画素の相対輝度値との間の関係を説明する。フレーム画素の相対輝度値とパネル副画素の相対輝度値との間の関係は、図７〜２７を参照して説明と同様である。
【０２０３】
図４１は、副画素Ｒ１と、それに対して相対輝度値が割り当てられるフレーム画素とを示す。副画素Ｒ１の一部を含むフレーム画素Ｐ０１及びＰ１１、並びに、副画素Ｒ１の外側でフレーム画素Ｐ０１又はＰ１１に隣接するフレーム画素Ｐ００、Ｐ０２、Ｐ１０及びＰ１２それぞれの赤の相対輝度値が、副画素Ｒ１に割り当てられる。これらフレーム画素は、副画素Ｒ１の周囲を囲む。
【０２０４】
これらフレーム画素の相対輝度値と割り当てられている重みとの積和が、副画素Ｒ１の相対輝度値である。
Ｌ＿Ｒ１＝（−１／８）Ｌ＿Ｐ００＋（２／８）Ｌ＿Ｐ０１＋（−１／８）Ｌ＿Ｐ０２
＋（１／８）Ｌ＿Ｐ１０＋（６／８）Ｌ＿Ｐ１１＋（１／８）Ｌ＿Ｐ１２
【０２０５】
フレーム画素Ｐ０１及びＰ１１からなるフレーム画素列は、副画素Ｒ１の全部を含み、フレーム画素Ｐ０１及びＰ１１に正の重みが割り当てられている。副画素Ｒ１の重心はフレーム画素Ｐ１１により近く、フレーム画素Ｐ１１の重みが、フレーム画素Ｐ０１の重みよりも大きい。フレーム画素Ｐ０１及びＰ１１の重みの合計は１である。
【０２０６】
フレーム画素Ｐ１１を含むフレーム画素行のフレーム画素Ｐ１０及びＰ１２に対して、正の重みが与えられている。それらの値は、フレーム画素Ｐ１１及びＰ０１の重みよりも小さい。フレーム画素Ｐ１０、Ｐ１１及びＰ１２の重みの合計は１である。
【０２０７】
フレーム画素Ｐ００及びＰ１０からなる画素列は、副画素Ｒ１と全く重ならない。フレーム画素Ｐ００に対して負の重みが割り当てられている。フレーム画素Ｐ００及びＰ１０の重みの合計は０である。
【０２０８】
フレーム画素Ｐ０２及びＰ１２からなる画素列は、副画素Ｒ１と全く重ならない。フレーム画素Ｐ０２に対して負の重みが割り当てられている。フレーム画素Ｐ０２及びＰ１２の重みの合計は０である。
【０２０９】
フレーム画素Ｐ００、Ｐ０１及びＰ０２からなる画素行は、副画素Ｒ１の一部を含む（部分的に重なる）が、その面積は他方の画素行よりも少ない。フレーム画素Ｐ００、Ｐ０１及びＰ０２の重みの合計は０である。副画素Ｒ１に相対輝度値を与える全てのフレーム画素の重みも合計は１である。
【０２１０】
図４２は、副画素Ｂ１と、それに対して相対輝度値が割り当てられるフレーム画素とを示す。副画素Ｂ１の一部を含むフレーム画素Ｐ１１及びＰ２１、並びに、副画素Ｂ１の外側でフレーム画素Ｐ１１又はＰ２１に隣接するフレーム画素Ｐ１０、Ｐ１２、Ｐ２０及びＰ２２それぞれの青の相対輝度値が、副画素Ｂ１に割り当てられる。これらフレーム画素は、副画素Ｂ１の周囲を囲む。
【０２１１】
これらフレーム画素の相対輝度値と割り当てられている重みとの積和が、副画素Ｂ１の相対輝度値である。
Ｌ＿Ｂ１＝（１／８）Ｌ＿Ｐ１０＋（６／８）Ｌ＿Ｐ１１＋（１／８）Ｌ＿Ｐ１２
＋（−１／８）Ｌ＿Ｐ２０＋（２／８）Ｌ＿Ｐ２１＋（−１／８）Ｌ＿Ｐ２２
【０２１２】
フレーム画素Ｐ１１及びＰ２１からなるフレーム画素列は、副画素Ｂ１の一部を含み（部分的に重なり）、フレーム画素Ｐ１１及びＰ２１に正の重みが割り当てられている。副画素Ｂ１の重心はフレーム画素Ｐ１１により近く、フレーム画素Ｐ１１の重みが、フレーム画素Ｐ２１の重みよりも大きい。フレーム画素Ｐ１１及びＰ２１の重みの合計は１である。
【０２１３】
フレーム画素Ｐ１１を含むフレーム画素行のフレーム画素Ｐ１０及びＰ１２に対して、正の重みが与えられている。それらの値は、フレーム画素Ｐ１１及びＰ０１の重みよりも小さい。フレーム画素Ｐ１０、Ｐ１１及びＰ１２の重みの合計は１である。
【０２１４】
フレーム画素Ｐ１０及びＰ２０からなる画素列は、副画素Ｂ１と全く重ならない。フレーム画素Ｐ２０に対して負の重みが割り当てられている。フレーム画素Ｐ１０及びＰ２０の重みの合計は０である。
【０２１５】
フレーム画素Ｐ１２及びＰ２２からなる画素列は、副画素Ｂ１と全く重ならない。フレーム画素Ｐ２２に対して負の重みが割り当てられている。フレーム画素Ｐ１２及びＰ２２の重みの合計は０である。
【０２１６】
フレーム画素Ｐ２０、Ｐ２１及びＰ２２からなる画素行は、副画素Ｂ１の一部を含む（部分的に重なる）が、その面積は他方の画素行よりも少ない。フレーム画素Ｐ２０、Ｐ２１及びＰ２２の重みの合計は０である。副画素Ｂ１に相対輝度値を与える全てのフレーム画素の重みも合計は１である。
【０２１７】
図４３は、副画素Ｇ１と、それに対して相対輝度値が割り当てられるフレーム画素とを示す。副画素Ｇ１の一部をそれぞれ含むフレーム画素Ｐ１０及びＰ１１、並びに、副画素Ｇ１の外側に配置されているフレーム画素Ｐ００、Ｐ０１、Ｐ２０及びＰ２１それぞれの緑の相対輝度値が、副画素Ｇ１に割り当てられる。フレーム画素Ｐ１１は副画素Ｇ１の最も多くの部分を含む。
【０２１８】
これらフレーム画素の相対輝度値と割り当てられている重みとの積和が、副画素Ｇ１の相対輝度値である。
Ｌ＿Ｇ１＝（−１／１６）Ｌ＿Ｐ００＋（１／１６）Ｌ＿Ｐ０１
＋（２／１６）Ｌ＿Ｐ１０＋（１４／１６）Ｌ＿Ｐ１１
＋（−１／１６）Ｌ＿Ｐ２０＋（１／１６）Ｌ＿Ｐ２１
【０２１９】
フレーム画素Ｐ１０及びＰ１１は、それぞれ副画素Ｇ１の一部を含む（部分的に重なる）。フレーム画素Ｐ１１が含む副画素Ｇ１の面積は、フレーム画素Ｐ１０よりも大きい。つまり、フレーム画素Ｐ１１が含む副画素Ｇ１の面積が最も大きい。
【０２２０】
フレーム画素Ｐ０１、Ｐ１１及びＰ２１からなる画素列は、副画素Ｇ１の一部を含む。フレーム画素Ｐ０１、Ｐ１１及びＰ２１それぞれに、正の重みが与えられている。フレーム画素Ｐ０１、Ｐ１１及びＰ２１の重みの合計は１である。
【０２２１】
フレーム画素Ｐ００、Ｐ１０及びＰ２０からなる画素列は、副画素Ｇ１の一部を含むが、その面積は、フレーム画素Ｐ０１、Ｐ１１及びＰ２１からなる画素列よりも小さい、フレーム画素Ｐ１０に正の重みが与えられ、フレーム画素Ｐ００及びＰ２０それぞれに、負の重みが与えられている。フレーム画素Ｐ０１、Ｐ１１及びＰ２１の重みの合計は０である。
【０２２２】
フレーム画素Ｐ１０及びＰ１１からなる画素行は、副画素Ｇ１の全部を含む。フレーム画素Ｐ１０及びＰ１１の重みの合計は１である。フレーム画素Ｐ００、Ｐ０１及びＰ０２からなる画素行は、副画素Ｇ１と全く重ならない。フレーム画素Ｐ００、Ｐ０１及びＰ０２の重みの合計は０である。フレーム画素Ｐ２０、Ｐ２１及びＰ２２からなる画素行は、副画素Ｇ１と全く重ならない。フレーム画素Ｐ２０、Ｐ２１及びＰ２２の重みの合計は０である。
【０２２３】
図４４は、副画素Ｒ２と、それに対して相対輝度値が割り当てられるフレーム画素とを示す。副画素Ｒ２の一部を含むフレーム画素Ｐ０２、Ｐ０３、Ｐ１２及びＰ１３それぞれの赤の相対輝度値が、副画素Ｒ２に割り当てられる。これらフレーム画素は、副画素Ｒ２の周囲を囲む。フレーム画素Ｐ１２が含む副画素Ｒ２の面積が一番大きい、つまり、フレーム画素Ｐ１２の重心と副画素Ｒ２の重心との距離が最も小さい。
【０２２４】
これらフレーム画素の相対輝度値と割り当てられている重みとの積和が、副画素Ｒ２の相対輝度値である。
Ｌ＿Ｒ２＝（１／８）Ｌ＿Ｐ０２＋（−１／８）Ｌ＿Ｐ０３
＋（７／８）Ｌ＿Ｐ１２＋（１／８）Ｌ＿Ｐ１３
【０２２５】
フレーム画素Ｐ０２及びＰ１２からなるフレーム画素列は、副画素Ｒ２の一部を含み（部分的に重なり）、フレーム画素Ｐ０２及びＰ１２に正の重みが割り当てられている。副画素Ｒ２の重心はフレーム画素Ｐ１２により近く、フレーム画素Ｐ１２の重みが、フレーム画素Ｐ０２の重みよりも大きい。フレーム画素Ｐ０２及びＰ１２の重みの合計は１である。
【０２２６】
フレーム画素Ｐ０３及びＰ１３からなるフレーム画素列は、副画素Ｒ２の一部を含む（部分的に重なる）が、その面積は、フレーム画素Ｐ０２及びＰ１２からなるフレーム画素列よりも小さい。フレーム画素Ｐ０３に負の重みが与えられ、フレーム画素Ｐ１３に正の重みが与えられている。フレーム画素Ｐ０３及びＰ１３の重みの合計は０である。
【０２２７】
フレーム画素Ｐ１２を含むフレーム画素行のフレーム画素Ｐ１３に対して、正の重みが与えられている。その値は、フレーム画素Ｐ１２の重みよりも小さい。フレーム画素Ｐ１２及びＰ１３の重みの合計は１である。
【０２２８】
フレーム画素Ｐ０２及びＰ０３からなる画素行は、副画素Ｒ２の一部を含む（部分的に重なる）が、その面積は他方の画素行よりも小さい。フレーム画素Ｐ０２及びＰ０３の重みの合計は０である。副画素Ｒ２に相対輝度値を与える全てのフレーム画素の重みも合計は１である。  
【０２２９】
図４５は、副画素Ｂ２と、それに対して相対輝度値が割り当てられるフレーム画素とを示す。副画素Ｂ２の一部を含むフレーム画素Ｐ１２、Ｐ１３、Ｐ２２及びＰ２３それぞれの青の相対輝度値が、副画素Ｂ２に割り当てられる。これらフレーム画素は、副画素Ｂ２の周囲を囲む。フレーム画素Ｐ１２が含む副画素Ｂ２の面積が一番大きい、つまり、フレーム画素Ｐ１２の重心と副画素Ｂ２の重心との距離が最も小さい。
【０２３０】
これらフレーム画素の相対輝度値と割り当てられている重みとの積和が、副画素Ｒ２の相対輝度値である。
Ｌ＿Ｂ２＝（７／８）Ｌ＿Ｐ１２＋（１／８）Ｌ＿Ｐ１３
＋（１／８）Ｌ＿Ｐ２２＋（−１／８）Ｌ＿Ｐ２３
【０２３１】
フレーム画素Ｐ１２及びＰ２２からなるフレーム画素列は、副画素Ｂ２の一部を含み（部分的に重なり）、フレーム画素Ｐ１２及びＰ２２に正の重みが割り当てられている。副画素Ｂ２の重心はフレーム画素Ｐ１２により近く、フレーム画素Ｐ１２の重みが、フレーム画素Ｐ２２の重みよりも大きい。フレーム画素Ｐ１２及びＰ２２の重みの合計は１である。
【０２３２】
フレーム画素Ｐ１３及びＰ２３からなるフレーム画素列は、副画素Ｂ２の一部を含む（部分的に重なる）が、その面積は、フレーム画素Ｐ１２及びＰ２２からなるフレーム画素列よりも小さい。フレーム画素Ｐ２３に負の重みが与えられ、フレーム画素Ｐ１３に正の重みが与えられている。フレーム画素Ｐ１３及びＰ２３の重みの合計は０である。
【０２３３】
フレーム画素Ｐ１２を含むフレーム画素行のフレーム画素Ｐ１３に対して、正の重みが与えられている。その値は、フレーム画素Ｐ１２の重みよりも小さい。フレーム画素Ｐ１２及びＰ１３の重みの合計は１である。
【０２３４】
フレーム画素Ｐ２２及びＰ２３からなる画素行は、副画素Ｒ２の一部を含む（部分的に重なる）が、その面積は他方の画素行よりも小さい。フレーム画素Ｐ２２及びＰ２３の重みの合計は０である。副画素Ｂ２に相対輝度値を与える全てのフレーム画素の重みも合計は１である。
【０２３５】
図４６は、副画素Ｇ２と、それに対して相対輝度値が割り当てられるフレーム画素とを示す。副画素Ｇ２の全部含むフレーム画素Ｐ１３、及び、フレーム画素Ｐ１３を囲むフレーム画素Ｐ０２、Ｐ０３、Ｐ０４、Ｐ１２、Ｐ１４、Ｐ２２、Ｐ２３及びＰ２４それぞれの緑の相対輝度値が、副画素Ｇ２に割り当てられる。
【０２３６】
これらフレーム画素の相対輝度値と割り当てられている重みとの積和が、副画素Ｇ２の相対輝度値である。
Ｌ＿Ｇ２＝（−１／１６）Ｌ＿Ｐ０２＋（２／１６）Ｌ＿Ｐ０３
＋（−１／１６）Ｌ＿Ｐ０４＋（２／１６）Ｌ＿Ｐ１２
＋（１２／１６）Ｌ＿Ｐ１３＋（２／１６）Ｌ＿Ｐ１４
＋（−１／１６）Ｌ＿Ｐ２２＋（２／１６）Ｌ＿Ｐ２３
＋（−１／１６）Ｌ＿Ｐ２４
【０２３７】
フレーム画素Ｐ０３、Ｐ１３及びＰ２３からなる画素列は、副画素Ｇ２の全部を含む。フレーム画素Ｐ０３、Ｐ１３及びＰ２３それぞれに、正の重みが与えられている。フレーム画素Ｐ１３の重みが最も大きい。フレーム画素Ｐ０３、Ｐ１３及びＰ２３の重みの合計は１である。
【０２３８】
フレーム画素Ｐ１２、Ｐ１３及びＰ１４からなる画素行は、副画素Ｇ２の全部を含む。フレーム画素Ｐ１２及びＰ１４に、正の重みが与えられており、それら値は同一であり、フレーム画素Ｐ１３よりも小さい。副画素Ｇ２の重心は、フレーム画素Ｐ１２よりもフレーム画素Ｐ１４に近い。フレーム画素Ｐ１２、Ｐ１３及びＰ１４の重みの合計は１である。
【０２３９】
フレーム画素Ｐ０２、Ｐ１２及びＰ２２からなるフレーム画素列は、副画素Ｇ２と全く重ならない。フレーム画素Ｐ０２及びＰ２２に負の重みが与えられている。フレーム画素Ｐ０２、Ｐ１２及びＰ２２の重みの合計は０である。フレーム画素Ｐ０４、Ｐ１４及びＰ２４からなるフレーム画素列は、副画素Ｇ２と全く重ならない。フレーム画素Ｐ０４及びＰ２４に負の重みが与えられている。フレーム画素Ｐ０４、Ｐ１４及びＰ２４の重みの合計は０である。
【０２４０】
フレーム画素Ｐ０２、Ｐ０３及びＰ０４からなるフレーム画素行は、副画素Ｇ２と全く重ならない。フレーム画素Ｐ０２、Ｐ０３及びＰ０４の重みの合計は０である。フレーム画素Ｐ２２、Ｐ２３及びＰ２４からなる画素行は、副画素Ｇ２と全く重ならない。フレーム画素Ｐ２２、Ｐ２３及びＰ２４の重みの合計は０である。全フレーム画素の重みの合計は１である。
【０２４１】
図４７は、副画素Ｇ３と、それに対して相対輝度値が割り当てられるフレーム画素とを示す。副画素Ｇ３の全部含むフレーム画素Ｐ２１、及び、フレーム画素Ｐ２１を囲むフレーム画素Ｐ１０、Ｐ１１、Ｐ１２、Ｐ２０、Ｐ２２、Ｐ３０、Ｐ３１、及びＰ３２それぞれの緑の相対輝度値が、副画素Ｇ３に割り当てられる。
【０２４２】
フレーム画素Ｐ１０、Ｐ１１、Ｐ１２、Ｐ２０、Ｐ２１、Ｐ２２、Ｐ３０、Ｐ３１、及びＰ３２の相対輝度値との関係（重みパターン）は、副画素Ｇ２の相対輝度値とフレーム画素Ｐ０４、Ｐ０３、Ｐ０２、Ｐ１４、Ｐ１３、Ｐ１２、Ｐ２４、Ｐ２３及びＰ２２の相対輝度値の関係（重みパターン）と同様である。
【０２４３】
図４８は、副画素Ｒ３と、それに対して相対輝度値が割り当てられるフレーム画素とを示す。副画素Ｒ３の一部を含むフレーム画素Ｐ１１、Ｐ１２、Ｐ２１及びＰ２２それぞれの赤の相対輝度値が、副画素Ｒ２に割り当てられる。これらフレーム画素は、副画素Ｒ２の周囲を囲む。フレーム画素Ｐ２２が含む副画素Ｒ３の面積が一番大きい、つまり、フレーム画素Ｐ２２の重心と副画素Ｒ３の重心との距離が最も小さい。
【０２４４】
副画素Ｒ３の相対輝度値とフレーム画素Ｐ１１、Ｐ１２、Ｐ２１及びＰ２２の相対輝度値との関係（重みパターン）は、副画素Ｒ２の相対輝度値とフレーム画素Ｐ０３、Ｐ０２、Ｐ１３及びＰ１２の相対輝度値との関係（重みパターン）と同様である。
【０２４５】
図４９は、副画素Ｂ３と、それに対して相対輝度値が割り当てられるフレーム画素とを示す。副画素Ｂ３の一部を含むフレーム画素Ｐ２１、Ｐ２２、Ｐ３１及びＰ３２それぞれの青の相対輝度値が、副画素Ｂ３に割り当てられる。これらフレーム画素は、副画素Ｂ３の周囲を囲む。フレーム画素Ｐ２２が含む副画素Ｂ３の面積が一番大きい、つまり、フレーム画素Ｐ２２の重心と副画素Ｂ３の重心との距離が最も小さい。
【０２４６】
副画素Ｂ３の相対輝度値とフレーム画素Ｐ２１、Ｐ２２、Ｐ３１及びＰ３２の相対輝度値との関係（重みパターン）は、副画素Ｂ２の相対輝度値とフレーム画素Ｐ１３、Ｐ１２、Ｐ２３及びＰ２２の相対輝度値との関係（重みパターン）と同様である。
【０２４７】
図５０は、副画素Ｇ４と、それに対して相対輝度値が割り当てられるフレーム画素とを示す。副画素Ｇ４の一部をそれぞれ含むフレーム画素Ｐ２２及びＰ２３、並びに、副画素Ｇ４の外側に配置されているフレーム画素Ｐ１２、Ｐ１３、Ｐ３２及びＰ３３それぞれの緑の相対輝度値が、副画素Ｇ４に割り当てられる。フレーム画素Ｐ２２は副画素Ｇ４の最も多くの部分を含み、他のフレーム画素はフレーム画素Ｐ２２を囲む。
【０２４８】
副画素Ｇ４の相対輝度値とＰ１２、Ｐ１３、Ｐ２２、Ｐ２３、Ｐ３２及びＰ３３の相対輝度値との関係（重みパターン）は、副画素Ｇ１の相対輝度値とフレーム画素Ｐ０１、Ｐ００、Ｐ１１、Ｐ１０、Ｐ２１及びＰ２０の相対輝度値との関係（重みパターン）と同様である。
【０２４９】
図５１は、副画素Ｒ４と、それに対して相対輝度値が割り当てられるフレーム画素とを示す。副画素Ｒ４の一部を含むフレーム画素Ｐ１３及びＰ２３、並びに、副画素Ｒ１の外側でフレーム画素Ｐ１３又はＰ２３に隣接するフレーム画素Ｐ１２、Ｐ１４、Ｐ２２及びＰ２４それぞれの赤の相対輝度値が、副画素Ｒ１に割り当てられる。これらフレーム画素は、副画素Ｒ４の周囲を囲む。
【０２５０】
副画素Ｒ４の相対輝度値とフレーム画素Ｐ１２、１３、Ｐ１４、Ｐ２２、Ｐ２３及びＰ２４の相対輝度値との関係（重みパターン）は、副画素Ｒ１の相対輝度値とフレーム画素Ｐ０２、Ｐ０１、Ｐ００、Ｐ１２、Ｐ１１及びＰ１０の相対輝度値との関係（重みパターン）と同様である。
【０２５１】
図５２は、副画素Ｂ４と、それに対して相対輝度値が割り当てられるフレーム画素とを示す。副画素Ｂ４の一部を含むフレーム画素Ｐ２３及びＰ３３、並びに、副画素Ｂ４の外側でフレーム画素Ｐ２３又はＰ３３に隣接するフレーム画素Ｐ２２、Ｐ２４、Ｐ３２及びＰ３４それぞれの青の相対輝度値が、副画素Ｂ４に割り当てられる。これらフレーム画素は、副画素Ｂ４の周囲を囲む。
【０２５２】
副画素Ｂ４の相対輝度値とフレーム画素Ｐ２２、Ｐ２３、Ｐ２４、Ｐ３２、Ｐ３３及びＰ３４の相対輝度値との関係（重みパターン）は、副画素Ｂ１の相対輝度値とフレーム画素Ｐ１２、Ｐ１１、Ｐ１０、Ｐ２２、Ｐ２１及びＰ２０の相対輝度値との関係（重みパターン）と同様である。
【０２５３】
副画素Ｒ１、Ｂ１、Ｒ４及びＢ４の各副画素は、第３の各副画素の例である。各副画素の相対輝度値を決定する複数のフレーム画素は、各副画素に最も近いフレーム画素と、最も近いフレーム画素のＸ軸に沿った両隣のフレーム画素と、前記第２の方向において前記第３の各副画素に２番目に近いフレーム画素と、当該２番目に近いフレーム画素のＸ軸に沿った両隣のフレーム画素と、で構成されている。
【０２５４】
副画素Ｒ２、Ｂ２、Ｒ３及びＢ３の各副画素は、第４の各副画素の例である。各副画素の相対輝度値を決定する複数のフレーム画素は、各副画素に最も近いフレーム画素と、Ｘ軸に沿って各副画素に２番目に近いフレーム画素と、Ｙ軸に沿って各副画素に２番目に近いフレーム画素と、Ｘ軸に沿って各副画素に２番目に近い前記フレーム画素及びＹ軸に沿って各副画素に２番目に近い前記フレーム画素の双方に隣接するフレーム画素と、で構成されている。
【０２５５】
副画素Ｇ１及びＧ４の各副画素は、第５の各副画素の例である。各副画素の相対輝度値を決定する複数のフレーム画素は、各副画素に最も近いフレーム画素と、各副画素にＸ軸に沿って２番目に近いフレーム画素と、各副画素に最も近いフレーム画素のＹ軸に沿った両隣のフレーム画素と、各副画素にＸ軸に沿って２番目に近いフレーム画素のＹ軸に沿った両隣のフレーム画素と、で構成されている。
【０２５６】
副画素Ｇ２及びＧ３の各副画素は、第６の各副画素の例である。各副画素の相対輝度値を決定する複数のフレーム画素は、各副画素に最も近いフレーム画素と、各副画素に最も近いフレーム画素のＸ軸に沿った両隣のフレーム画素と、各副画素に最も近いフレーム画素と上方向において隣接するフレーム画素と、当該上方向において隣接するフレーム画素のＸ軸に沿った両隣のフレーム画素と、各副画素に最も近いフレーム画素に下方向において隣接するフレーム画素と、最も近いフレーム画素に下方向において隣接するフレーム画素のＸ軸に沿った両隣のフレーム画素と、で構成されている。
【０２５７】
上述のように、副画素に相対輝度値を与えるフレーム画素において、当該副画素に最も近いフレーム画素を含む１フレーム画素行及び１フレーム画素列のみが、正の重みを有するフレーム画素のみで構成されている。また、副画素に相対輝度値を与えるフレーム画素において、一つのフレーム画素行を除く全ての画素行が負の重みを有するフレーム画素を含み、その重みの合計は０である。さらに、副画素に相対輝度値を与えるフレーム画素において、一つのフレーム画素列を除く全ての画素列が負の重みを有するフレーム画素を含み、その重みの合計は０である。このため、線形補完と比較して、列方向の延びる線をさらに細く表示することができる。
【０２５８】
＜実施形態３＞
実施形態１及び２において説明したように、パネル単位領域４５の副画素の相対輝度値は、フレーム単位領域４１のフレーム画素の相対輝度値に加え、フレーム単位領域４１の全周を囲むフレーム画素の相対輝度値にも基づく。したがって、パネル表示領域１２５の縁に存在する副画素の相対輝度値を上記手法によりフレーム画素の相対輝度値から決定するためには、映像フレームを構成するフレーム画素のみでは完全ではない。
【０２５９】
本実施形態は、映像フレームの周囲にダミーフレーム画素を追加する。これにより、パネル表示領域１２５の縁の表示品質の低下を小さくすることができる。ダミーフレームは、実施形態１及び実施形態２に必須ではないが、いずれの実施形態にも適用できる。
【０２６０】
図５３は、映像フレーム（入力データ）５３０及び、映像フレーム周囲に配置されたダミーデータ５４０を示す。ダミーデータ５４０は、映像フレーム周囲に配置されるダミー画素のデータである。図５３において、一部のフレーム画素のみが符号５３１Ａ、５３１Ｂ及び５３１Ｃで指示されている。また、一部のダミー画素のみが符号５４１Ａ〜５４１Ｄで指示されている。
【０２６１】
一例は、ダミー画素に対して、隣接する（最も近い）フレーム画素と同一の相対輝度値（Ｒ、Ｇ及びＢの相対輝度値のタプル）を与える。例えば、図５３の例において、ダミー画素５４１Ａ、５４１Ｂ及び５４１Ｃの相対輝度値は、隣接するフレーム画素５３１Ａの相対輝度値と同一である。ダミー画素５４１Ｄの相対輝度値は、隣接するフレーム画素５３１Ｄの相対輝度値と同一である。本例は、最も外側のフレーム画素それぞれの相対輝度値を、行方向又は列方向で隣接するダミー画素に与え、さらに、コーナに位置するフレーム画素の相対輝度値を、行方向、列方向及び斜め方向で隣接するダミー画素に与える。
【０２６２】
ドライバＩＣ１３４の相対輝度変換部３４２は、フレーム画素の相対輝度値から、ダミー画素の相対輝度値を計算する。相対輝度変換部３４２は、フレーム画素及びダミー画素の相対輝度値から、各パネル副画素の相対輝度値を決定する。ダミー画素の相対輝度値の決定方法は設計に依存し、上記関係に限定されない。例えば、一つのダミー画素の相対輝度値を、１又は複数のフレーム画素の相対輝度値及びそれらに対する重みの積和により決定してもよい。
【０２６３】
以上、本開示の実施形態を説明したが、本開示が上記の実施形態に限定されるものではない。当業者であれば、上記の実施形態の各要素を、本開示の範囲において容易に変更、追加、変換することが可能である。ある実施形態の構成の一部を他の実施形態の構成に置き換えることが可能であり、ある実施形態の構成に他の実施形態の構成を加えることも可能である。
【符号の説明】
【０２６４】
１０  表示装置、４１  フレーム単位領域、４５  パネル単位領域、４７  媒介画素単位領域、１００  ＴＦＴ基板、１１４  カソード電極形成領域、１２５  表示領域、１３１  走査ドライバ、１３２  エミッションドライバ、１３３  保護回路、１５１  絶縁基板、１５５  チャネル部、１５６  ゲート絶縁膜、１５７  ゲート電極、１５８  層間絶縁膜、１５９  ソース電極、１６０  ドレイン電極、１６１  平坦化膜、１６２  アノード電極、１６３  画素定義層、１６４  スペーサ、１６５  有機発光層、１６６  カソード電極、１６７  開口、１６８  コンタクト部、２００  封止基板、２０１  位相差板、２０２  偏光板、３００  接合部、３４１  ガンマ変換部、３４２  相対輝度変換部、３４３  逆ガンマ変換部、３４４  駆動信号生成部、３４５  データドライバ、３５５  ソースドライバ、５３１Ａ〜５３１Ｃ  フレーム画素、５４１Ａ〜５４１Ｄ  ダミー画素
【図１】
2019194632.tif 000003
【図２】
2019194632.tif 000004
【図３】
2019194632.tif 000005
【図４】
2019194632.tif 000006
【図５】
2019194632.tif 000007
【図６Ａ】
2019194632.tif 000008
【図６Ｂ】
2019194632.tif 000009
【図７】
2019194632.tif 000010
【図８】
2019194632.tif 000011
【図９】
2019194632.tif 000012
【図１０】
2019194632.tif 000013
【図１１】
2019194632.tif 000014
【図１２】
2019194632.tif 000015
【図１３】
2019194632.tif 000016
【図１４】
2019194632.tif 000017
【図１５】
2019194632.tif 000018
【図１６】
2019194632.tif 000019
【図１７】
2019194632.tif 000020
【図１８】
2019194632.tif 000021
【図１９】
2019194632.tif 000022
【図２０】
2019194632.tif 000023
【図２１】
2019194632.tif 000024
【図２２】
2019194632.tif 000025
【図２３】
2019194632.tif 000026
【図２４】
2019194632.tif 000027
【図２５】
2019194632.tif 000028
【図２６】
2019194632.tif 000029
【図２７】
2019194632.tif 000030
【図２８】
2019194632.tif 000031
【図２９】
2019194632.tif 000032
【図３０】
2019194632.tif 000033
【図３１】
2019194632.tif 000034
【図３２】
2019194632.tif 000035
【図３３】
2019194632.tif 000036
【図３４】
2019194632.tif 000037
【図３５】
2019194632.tif 000038
【図３６】
2019194632.tif 000039
【図３７】
2019194632.tif 000040
【図３８】
2019194632.tif 000041
【図３９】
2019194632.tif 000042
【図４０】
2019194632.tif 000043
【図４１】
2019194632.tif 000044
【図４２】
2019194632.tif 000045
【図４３】
2019194632.tif 000046
【図４４】
2019194632.tif 000047
【図４５】
2019194632.tif 000048
【図４６】
2019194632.tif 000049
【図４７】
2019194632.tif 000050
【図４８】
2019194632.tif 000051
【図４９】
2019194632.tif 000052
【図５０】
2019194632.tif 000053
【図５１】
2019194632.tif 000054
【図５２】
2019194632.tif 000055
【図５３】
2019194632.tif 000056